(57)【要約】【課題】可撓性を有する安全性の高いリチウムイオン蓄電池または電子機器を提供する。【解決手段】本発明の一態様は、正極と、負極と、正極と前記負極との間のセパレータと、正極と、負極と、セパレータと、を包む外装体と、外装体に沿って設けられた配線と、を有し、配線の少なくとも一部は、外装体よりも変形に対して脆弱である、可撓性を有する蓄電池である。配線は外装体よりも変形に対して脆弱であるため、外装体よりも早く損傷する。配線の損傷を検出し使用者に警告を与えることで、外装体に損傷が発生する前に蓄電池の使用を中止することができる。【選択図】図１
2020024946.tif 000002
【特許請求の範囲】
【請求項１】
正極と、
負極と、
前記正極と前記負極との間のセパレータと、
前記正極と、前記負極と、前記セパレータと、を包む外装体と、
前記外装体に沿って設けられた配線と、
前記配線の損傷を検知することができる機能を有する第１の回路と、を有し、
前記配線の一端は、前記正極と電気的に接続され、
前記配線の他端は、前記第１の回路を介して前記正極と電気的に接続された蓄電池。
【請求項２】
正極と、
負極と、
タブ電極と、
配線と、
前記正極と前記負極との間のセパレータと、
前記正極と、前記負極と、前記セパレータと、を包む外装体と、
前記配線の損傷を検知することができる機能を有する第１の回路と、を有し、
前記タブ電極は、前記正極または前記負極の一方と接続され、
前記配線は、前記タブ電極に沿って設けられ、
前記配線の一端は、前記正極と電気的に接続され、
前記配線の他端は、前記正極と電気的に接続された蓄電池。
【発明の詳細な説明】
【技術分野】
【０００１】
本発明の一形態は、可撓性を有する蓄電池及び電子機器に関する。
【０００２】
なお、本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、液晶表示装置、発光装置、照明装
置、蓄電池、記憶装置、それらの駆動方法、または、それらの製造方法、を一例として挙
げることができる。
【背景技術】
【０００３】
近年、リチウムイオン蓄電池等の蓄電池、リチウムイオンキャパシタ、空気電池、燃料電
池等、種々の蓄電池の開発が盛んに行われている。特に高出力、高エネルギー密度である
リチウムイオン蓄電池は、携帯電話やスマートフォン、ノート型パーソナルコンピュータ
等の携帯情報端末、携帯音楽プレーヤ、デジタルカメラ等の電子機器、あるいは医療機器
、ハイブリッド車（ＨＥＶ）、電気自動車（ＥＶ）、又はプラグインハイブリッド車（Ｐ
ＨＥＶ）等の次世代クリーンエネルギー自動車、定置用蓄電池など、半導体産業の発展お
よび省エネルギー化の要求の高まりに伴い急速にその需要が拡大し、現代社会に不可欠な
ものとなっている。さらに近年、フレキシブルデバイス或いはウエアラブルデバイスに対
する期待が高まっており、デバイスの変形に追従して変形することができる可撓性を有す
るリチウムイオン蓄電池、すなわち、可撓性を有する蓄電池の開発が急務であり、一部開
始されている（特許文献１）。
【０００４】
非水系蓄電池の一つであるリチウムイオン蓄電池は、正極と、負極と、セパレータと、非
水電解液と、これらを覆う外装体と、を有する。一般的に、リチウムイオン蓄電池では、
アルミニウム等の金属からなる正極集電体の両面にリチウムイオンを吸蔵及び放出するこ
とができる正極活物質を含む正極合剤を塗布した正極と、銅等からなる負極集電体の両面
にリチウムイオンを吸蔵及び放出することができる負極活物質を含む負極合剤を塗布した
負極が用いられる。また、これら正極と負極の間にセパレータが挟まれることで絶縁され
、正極及び負極は、外装体に設けられた正極端子及び負極端子と電気的に接続されている
。外装体は、円筒形や角形等の一定の形状を有する。
【先行技術文献】
【特許文献】
【０００５】
【特許文献１】特開２００８−１４６９１７号公報
【発明の概要】
【発明が解決しようとする課題】
【０００６】
可撓性を有するリチウムイオン蓄電池は、変形の回数が増すごとに、電池の各部材や電解
液を保持する外装体に疲労（ダメージ）が蓄積される。疲労（ダメージ）の蓄積が進むと
、やがて外装体または封止構造が破壊され、蓄電池内部に空気が入り込むという問題が発
生する場合がある。また、蓄電池の正極及び負極のタブ電極（端子部）において疲労が蓄
積し、やがて端子部が破壊され蓄電池が機能しなくなる場合もある。
【０００７】
リチウムイオン蓄電池が破損し内部に空気が入り込むと、蓄電池の内部の部材が空気や水
分と反応し、熱を発してやがて発火する場合があり、さらに爆発といった重大事故につな
がることもある。これを防ぐために、外装体等が破損したことを検知して警告を発する仕
組みを導入しても、外装体等が破損した後ではこのような重大事故を未然に防止すること
は難しい。
【０００８】
そのため、構成部材の疲労（ダメージ）の蓄積が進み、破損が生じる前に使用者に警告を
与えることができる蓄電池が必要である。
【０００９】
上記に鑑み、本発明の一態様は、可撓性を有する蓄電池において、構成部材に疲労（ダメ
ージ）による損傷が生じる前に使用者に警告することができる機能を有する蓄電池を提供
することを課題の一つとする。または、可撓性を有する蓄電池における安全性の確保を実
現することを課題の一つとする。
【００１０】
また、本発明の一態様は、可撓性を有する安全性の高いリチウムイオン蓄電池または電子
機器を提供することを課題の一つとする。または、本発明の一態様は、新規のリチウムイ
オン蓄電池、または、新規な電子機器などを提供することを課題の一つとする。
【００１１】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１２】
本発明の一態様は、正極と、負極と、正極と前記負極との間のセパレータと、正極と、負
極と、セパレータと、を包む外装体と、外装体に沿って設けられた配線と、を有し、配線
の少なくとも一部は、外装体よりも変形に対して脆弱である、可撓性を有する蓄電池であ
る。
【００１３】
また、本発明の他の一態様は、正極と、負極と、タブ電極と、配線と、正極と負極との間
のセパレータと、正極と、負極と、セパレータと、を包む外装体と、を有し、タブ電極は
、正極または負極の一方と接続され、配線は、タブ電極に沿って設けられ、配線の少なく
とも一部は、タブ電極よりも変形に対して脆弱である、可撓性を有する蓄電池である。
【００１４】
なお、本発明の一態様において、配線は第１の回路と電気的に接続され、第１の回路は、
配線の損傷を検知することができる機能を有する可撓性を有する蓄電池としてもよい。ま
た、第１の回路を内包する可撓性を有する蓄電池としてもよい。さらに、第１の回路は、
配線の損傷を検知したときに、損傷を検知していない状態とは異なる信号を発信すること
ができる機能を有する可撓性を有する蓄電池としてもよい。
【００１５】
また、本発明の一態様に係る蓄電池を有し、さらに表示部と、第１の回路と、を有し、第
１の回路は、配線と電気的に接続され、第１の回路は、配線の損傷を検知することができ
る機能を有する、可撓性を有する電子機器としてもよい。また、本発明の一態様に係る蓄
電池を有し、さらに表示部と、第１の回路と、を有し、第１の回路は、配線と電気的に接
続され、第１の回路は、配線の損傷を検知することができる機能を有し、表示部は、第１
の回路が配線の損傷を検知したときに損傷を検知していない状態とは異なる表示をするこ
とができる機能を有する可撓性を有する電子機器としてもよい。
【００１６】
本発明の一態様においては、疲労（ダメージ）にさらされる部材に、該部材よりも脆弱な
配線を該部材に沿って設け、該部材が変形する際は同時に該配線も連動して変形する機構
とする。すると、変形による疲労（ダメージ）を該部材のみならず、該配線も受ける。そ
のため、該部材と該配線とは同様の疲労（ダメージ）を蓄積することとなるが、該配線は
該部材よりも脆弱であるため、該部材よりも早く損傷する。
【００１７】
そこで、該配線に接続された回路を、該配線の損傷を検知することができる機能を有する
回路とする。すると、該配線が疲労（ダメージ）により損傷したことを該回路が検知した
ときに、蓄電池または電子機器の使用を中止することができる。ここで、該配線に接する
構成部材にも相応の疲労（ダメージ）が蓄積したこととなるため、蓄電池または電子機器
の使用を継続して、さらに該部材の疲労（ダメージ）が蓄積し、該部材が損傷して事故が
発生するという事態を防止することができる。
【発明の効果】
【００１８】
本発明の一態様は、可撓性を有する蓄電池において、構成部材に疲労（ダメージ）による
損傷が生じる前に使用者に警告することができる機能を有する蓄電池を提供することがで
きる。または、可撓性を有する蓄電池における安全性の確保を実現することができる。
【００１９】
また、本発明の一態様は、可撓性を有する安全性の高いリチウムイオン蓄電池または電子
機器を提供することができる。または、本発明の一態様は、新規のリチウムイオン蓄電池
、または、新規な電子機器などを提供することができる。
【００２０】
なお、これらの効果の記載は、他の効果の存在を妨げるものではない。なお、本発明の一
態様は、これらの効果の全てを有する必要はないものとする。なお、これら以外の効果は
、明細書、図面、請求項などの記載から、自ずと明らかとなるものであり、明細書、図面
、請求項などの記載から、これら以外の効果を抽出することが可能である。
【図面の簡単な説明】
【００２１】
【図１】本発明の一態様のリチウムイオン蓄電池を説明する図。
【図２】曲率半径を説明する図。
【図３】曲率半径を説明する図。
【図４】コイン型の蓄電池を説明する図。
【図５】円筒型の蓄電池を説明する図。
【図６】ラミネート型の蓄電池を説明する図。
【図７】蓄電池の外観を示す図。
【図８】蓄電池の外観を示す図。
【図９】蓄電池の作製方法を説明するための図。
【図１０】可撓性を有するラミネート型の蓄電池を説明する図。
【図１１】蓄電池の例を説明するための図。
【図１２】蓄電池の例を説明するための図。
【図１３】蓄電池の例を説明するための図。
【図１４】蓄電池の例を説明するための図。
【図１５】蓄電池の例を説明するための図。
【図１６】蓄電池の応用形態を示す図。
【図１７】本発明の一態様を説明するブロック図。
【図１８】本発明の一態様を説明する概念図。
【図１９】本発明の一態様を説明する回路図。
【図２０】本発明の一態様を説明する回路図。
【図２１】本発明の一態様を説明する概念図。
【図２２】本発明の一態様を説明するブロック図。
【図２３】本発明の一態様を説明するフローチャート。
【図２４】本発明の一態様に係る蓄電池の外観及び断面構造を示す図。
【図２５】本発明の一態様を説明する回路図。
【発明を実施するための形態】
【００２２】
以下では、本発明の実施の形態について図面を用いて詳細に説明する。ただし、本発明は
以下の説明に限定されず、その形態および詳細を様々に変更し得ることは、当業者であれ
ば容易に理解される。また、本発明は以下に示す実施の形態の記載内容に限定して解釈さ
れるものではない。
【００２３】
なお、本明細書で説明する各図において、正極、負極、活物質層、セパレータ、外装体な
どの各構成要素の大きさや厚さ等は、個々に説明の明瞭化のために誇張されている場合が
ある。よって、必ずしも各構成要素はその大きさに限定されず、また各構成要素間での相
対的な大きさに限定されない。
【００２４】
また、本明細書等において、第１、第２、第３などとして付される序数詞は、便宜上用い
るものであって工程の順番や上下の位置関係などを示すものではない。そのため、例えば
、「第１の」を「第２の」又は「第３の」などと適宜置き換えて説明することができる。
また、本明細書等に記載されている序数詞と、本発明の一態様を特定するために用いられ
る序数詞は一致しない場合がある。
【００２５】
また、本明細書等で説明する本発明の構成において、同一部分又は同様の機能を有する部
分には同一の符号を異なる図面間で共通して用い、その繰り返しの説明は省略する。また
、同様の機能を有する部分を指す場合には、ハッチパターンを同じくし、特に符号を付さ
ない場合がある。
【００２６】
また、本明細書において可撓性とは、物体が柔軟であり、曲がることが可能である性質を
指す。物体にかかる外力に応じて物体が変形することができる性質であり、弾性や変形前
の形状への復元性の有無を問題にはしない。可撓性を有する蓄電池は、外力に応じて変形
することができる。可撓性を有する蓄電池は、変形した状態で固定して使用することもで
き、繰り返し変形させて使用してもよく、変形していない状態で使用することもできる。
【００２７】
また、この発明を実施するための形態に記載の内容は、適宜組み合わせて用いることがで
きる。
【００２８】
（実施の形態１）
本実施の形態では、本発明の一態様に係るリチウムイオン蓄電池について説明する。
【００２９】
本発明の一態様にかかるリチウムイオン蓄電池１１０の作製方法について図１（Ａ）及び
（Ｂ）を用い、以下に説明する。図１（Ｂ）は、リチウムイオン蓄電池１１０の断面図で
ある。正極集電体１００と、正極活物質層１０１と、セパレータ１０４と、負極活物質層
１０３と、負極集電体１０２とを積み重ね、電解液１０５とともに外装体２０７により封
止された状態の断面模式図である。なお、活物質層は集電体の両面に形成することもでき
、蓄電池を積層構造とすることも可能である。さらに、本実施の形態では、一例として配
線２０６を外装体に沿って設けており、また、一例として配線２０６に接続された回路２
０８を外装体２０７上に設けている。
【００３０】
≪配線及び回路≫
本発明の一態様に係る可撓性を有するリチウムイオン蓄電池１１０が有する配線２０６と
、配線２０６の損傷を検知することができる機能を有する回路２０８について説明する。
【００３１】
配線２０６は、保護対象の部材を変形による破損から保護するために設けられる。そのた
めに、配線２０６は該部材よりも変形による疲労に弱く、破断等の損傷の生じやすい材料
で作製する。配線２０６を該部材に沿って設け、該部材が変形する際は同時に配線２０６
も連動して変形する機構とする。
【００３２】
本実施の形態では、例えば外装体を変形による破損から保護するために、外装体に沿って
配線２０６を設ける。配線２０６を組み込んだリチウムイオン蓄電池１１０を変形させる
と、リチウムイオン蓄電池１１０を構成する各部材が変形するため、保護対象となる部材
も疲労（ダメージ）を受ける。変形による疲労（ダメージ）を保護対象の部材のみならず
、配線２０６も受ける。そのため、該部材と配線２０６とは同様の疲労（ダメージ）を蓄
積することとなる。
【００３３】
ここで、配線２０６は保護対象の部材よりも変形による疲労（ダメージ）に弱いため、疲
労が蓄積され限界に達すると、保護対象の部材よりも早く破断等の損傷が生じる。損傷が
生じた配線２０６は各種物性が変化し、例えば導電性や熱伝導性は低下する。
【００３４】
そこで、本発明の一態様においては、配線２０６の損傷による物性の変化（例えば導電性
の低下）を検知することができる機能を有する回路２０８を配線２０６に接続する。する
と、配線２０６が疲労（ダメージ）により損傷したことを回路２０８が検知したときに、
配線２０６の損傷を検知したという情報をタブ電極５１６を通してリチウムイオン蓄電池
１１０を組みこんだ電子機器に送り、該電子機器の使用者に報知することができる。報知
を受けた使用者は、電子機器を都合の良いタイミングで中止することができる。配線２０
６に接する保護対象の部材にも相応の疲労（ダメージ）が蓄積したこととなるため、リチ
ウムイオン蓄電池１１０または電子機器の使用を継続して、さらに該部材の疲労（ダメー
ジ）が蓄積し、該部材が損傷して事故が発生するという事態となる前に、蓄電池を交換す
ることができる。
【００３５】
また、回路２０８が配線２０６の損傷を検知したときに、電子機器に情報を伝達しなくて
も、回路２０８を該蓄電池の過放電、過充電、過電流を検知する制御ユニット（図示しな
い）に接続し、損傷を検知したときに該制御ユニットによりリチウムイオン蓄電池１１０
の放電または充電を自動的に遮断する仕組みを設けてもよい。
【００３６】
いずれにせよ、本発明の一態様により、リチウムイオン蓄電池１１０の構成部材が損傷す
る前に、リチウムイオン蓄電池１１０の使用を中止して事故を防ぐことができる。
【００３７】
ここで、配線２０６としては、変形による疲労（ダメージ）による破壊を防止したい部材
よりも脆弱な材料を用いることができる。そのため、配線２０６には該部材の性質に応じ
て種々の材料を用いることができる。なお、本明細書においては、変形による疲労（ダメ
ージ）の蓄積により破壊または破断の生じやすい性質を、脆い、脆弱である、疲労限度が
小さい、変形による疲労（ダメージ）に弱い、若しくは、変形に弱いと表現する場合があ
る。
【００３８】
材料が何回の繰り返し応力に耐えられるか、どのくらいの回数を与えるとどのくらいの応
力で破壊するかを表すためにＳ−Ｎ曲線が広く用いられている。一般に材料の疲れ試験（
ＪＩＳ規格：ＪＩＳＺ２２７３）により材料の疲労に対する強度を得るが、試験において
材料に加えられる応力は時間で振幅する応力であり、正弦波を入力する。Ｓ−Ｎ曲線は、
縦軸に応力振幅、横軸に破断までの繰り返し回数Ｎとして疲労試験の結果をプロットして
グラフ化したものである。
【００３９】
そこで、本発明の一態様において、配線２０６は、変形による疲労（ダメージ）による破
壊を防止したい部材のＳ−Ｎ曲線よりも横軸に近い形状のＳ−Ｎ曲線を持つ材料を使用す
ることができる。ただし、配線２０６の材料はこれに限定されない。
【００４０】
また、本発明の一態様が実施されたリチウムイオン蓄電池１１０において、リチウムイオ
ン蓄電池１１０から配線２０６と変形による疲労（ダメージ）による破壊を防止したい部
材とを取り出して、それぞれに対して変形による疲労（ダメージ）に対する強さを評価す
ることが困難である場合がある。本発明の一態様においては、リチウムイオン蓄電池１１
０に対して繰り返し曲げ試験を行い、配線２０６に該部材よりも先に破壊または破断等の
損傷が生じることを確認することをもって、配線２０６は該部材よりも変形による疲労（
ダメージ）に弱いと評価することができる。
【００４１】
次に、配線２０６の損傷を検知する回路２０８は、上述の過放電、過充電、過電流を検知
する制御ユニットに設けてもよく、制御ユニットとは独立して設けてもよい。変形による
疲労（ダメージ）による破壊を防止したい部材の種類に応じて、他の機能を有するユニッ
トまたは回路に組み込むこともできる。なお、回路２０８の構成の一例及び動作の一例は
後述する。
【００４２】
≪正極の構成≫
正極について説明する。正極は、正極活物質層１０１と、正極集電体１００とを含む。
【００４３】
正極活物質層１０１に用いられる正極活物質材料としては、リチウムイオン等のキャリア
イオンの挿入及び脱離が可能な材料を用いることができ、例えば、オリビン型の結晶構造
、層状岩塩型の結晶構造、又はスピネル型の結晶構造を有するリチウム含有材料等が挙げ
られる。
【００４４】
オリビン型構造のリチウム含有材料（一般式ＬｉＭＰＯ４（Ｍは、Ｆｅ（ＩＩ）、Ｍｎ（
ＩＩ）、Ｃｏ（ＩＩ）またはＮｉ（ＩＩ）））の代表例としては、ＬｉＦｅＰＯ４、Ｌｉ
ＮｉＰＯ４、ＬｉＣｏＰＯ４、ＬｉＭｎＰＯ４、ＬｉＦｅａＮｉｂＰＯ４、ＬｉＦｅａＣ
ｏｂＰＯ４、ＬｉＦｅａＭｎｂＰＯ４、ＬｉＮｉａＣｏｂＰＯ４、ＬｉＮｉａＭｎｂＰＯ
４（ａ＋ｂは１以下、０＜ａ＜１、０＜ｂ＜１）、ＬｉＦｅｃＮｉｄＣｏｅＰＯ４、Ｌｉ
ＦｅｃＮｉｄＭｎｅＰＯ４、ＬｉＮｉｃＣｏｄＭｎｅＰＯ４（ｃ＋ｄ＋ｅは１以下、０＜
ｃ＜１、０＜ｄ＜１、０＜ｅ＜１）、ＬｉＦｅｆＮｉｇＣｏｈＭｎｉＰＯ４（ｆ＋ｇ＋ｈ
＋ｉは１以下、０＜ｆ＜１、０＜ｇ＜１、０＜ｈ＜１、０＜ｉ＜１）等がある。
【００４５】
例えば、リン酸鉄リチウム（ＬｉＦｅＰＯ４）は、安全性、安定性、高容量密度、高電位
、初期酸化（充電）時に引き抜けるリチウムイオンの存在等、正極活物質に求められる事
項をバランスよく満たしているため、好ましい。
【００４６】
層状岩塩型の結晶構造を有するリチウム含有材料としては、例えば、コバルト酸リチウム
（ＬｉＣｏＯ２）、ＬｉＮｉＯ２、ＬｉＭｎＯ２、Ｌｉ２ＭｎＯ３、ＬｉＮｉ０．８Ｃｏ
０．２Ｏ２等のＮｉＣｏ系（一般式は、ＬｉＮｉｘＣｏ１−ｘＯ２（０＜ｘ＜１））、Ｌ
ｉＮｉ０．５Ｍｎ０．５Ｏ２等のＮｉＭｎ系（一般式は、ＬｉＮｉｘＭｎ１−ｘＯ２（０
＜ｘ＜１））、ＬｉＮｉ１／３Ｍｎ１／３Ｃｏ１／３Ｏ２等のＮｉＭｎＣｏ系（ＮＭＣと
もいう。一般式は、ＬｉＮｉｘＭｎｙＣｏ１−ｘ−ｙＯ２（ｘ＞０、ｙ＞０、ｘ＋ｙ＜１
））が挙げられる。さらに、Ｌｉ（Ｎｉ０．８Ｃｏ０．１５Ａｌ０．０５）Ｏ２、Ｌｉ２
ＭｎＯ３−ＬｉＭＯ２（ＭはＣｏ、ＮｉまたはＭｎ）等も挙げられる。
【００４７】
特に、ＬｉＣｏＯ２は、容量が大きいこと、ＬｉＮｉＯ２に比べて大気中で安定であるこ
と、ＬｉＮｉＯ２に比べて熱的に安定であること等の利点があるため、好ましい。
【００４８】
スピネル型の結晶構造を有するリチウム含有材料としては、例えば、ＬｉＭｎ２Ｏ４、Ｌ
ｉ１＋ｘＭｎ２−ｘＯ４（０＜ｘ＜２）、ＬｉＭｎ２−ｘＡｌｘＯ４（０＜ｘ＜２）、Ｌ
ｉＭｎ１．５Ｎｉ０．５Ｏ４等が挙げられる。
【００４９】
ＬｉＭｎ２Ｏ４等のマンガンを含むスピネル型の結晶構造を有するリチウム含有材料に、
少量のニッケル酸リチウム（ＬｉＮｉＯ２やＬｉＮｉ１−ｘＭｘＯ２（０＜ｘ＜１）（Ｍ
＝Ｃｏ、Ａｌ等））を混合すると、マンガンの溶出を抑制する、電解液の分解を抑制する
等の利点があり好ましい。
【００５０】
また、正極活物質として、一般式Ｌｉ（２−ｊ）ＭＳｉＯ４（Ｍは、Ｆｅ（ＩＩ）、Ｍｎ
（ＩＩ）、Ｃｏ（ＩＩ）、またはＮｉ（ＩＩ））（ｊは０以上２以下）で表される複合酸
化物を用いることができる。一般式Ｌｉ（２−ｊ）ＭＳｉＯ４の代表例としては、Ｌｉ（
２−ｊ）ＦｅＳｉＯ４、Ｌｉ（２−ｊ）ＮｉＳｉＯ４、Ｌｉ（２−ｊ）ＣｏＳｉＯ４、Ｌ
ｉ（２−ｊ）ＭｎＳｉＯ４、Ｌｉ（２−ｊ）ＦｅｋＮｉｌＳｉＯ４、Ｌｉ（２−ｊ）Ｆｅ
ｋＣｏｌＳｉＯ４、Ｌｉ（２−ｊ）ＦｅｋＭｎｌＳｉＯ４、Ｌｉ（２−ｊ）ＮｉｋＣｏｌ
ＳｉＯ４、Ｌｉ（２−ｊ）ＮｉｋＭｎｌＳｉＯ４（ｋ＋ｌは１以下、０＜ｋ＜１、０＜ｌ
＜１）、Ｌｉ（２−ｊ）ＦｅｍＮｉｎＣｏｑＳｉＯ４、Ｌｉ（２−ｊ）ＦｅｍＮｉｎＭｎ
ｑＳｉＯ４、Ｌｉ（２−ｊ）ＮｉｍＣｏｎＭｎｑＳｉＯ４（ｍ＋ｎ＋ｑは１以下、０＜ｍ
＜１、０＜ｎ＜１、０＜ｑ＜１）、Ｌｉ（２−ｊ）ＦｅｒＮｉｓＣｏｔＭｎｕＳｉＯ４（
ｒ＋ｓ＋ｔ＋ｕは１以下、０＜ｒ＜１、０＜ｓ＜１、０＜ｔ＜１、０＜ｕ＜１）等が挙げ
られる。
【００５１】
また、正極活物質として、ＡｘＭ２（ＸＯ４）３（ＡはＬｉ、Ｎａ、または、Ｍｇ）（Ｍ
はＦｅ、Ｍｎ、Ｔｉ、Ｖ、Ｎｂ、または、Ａｌ）（ＸはＳ、Ｐ、Ｍｏ、Ｗ、Ａｓ、または
、Ｓｉ）の一般式で表されるナシコン型化合物を用いることができる。ナシコン型化合物
としては、Ｆｅ２（ＭｎＯ４）３、Ｆｅ２（ＳＯ４）３、Ｌｉ３Ｆｅ２（ＰＯ４）３等が
挙げられる。また、正極活物質として、Ｌｉ２ＭＰＯ４Ｆ、Ｌｉ２ＭＰ２Ｏ７、Ｌｉ５Ｍ
Ｏ４（ＭはＦｅまたはＭｎ）の一般式で表される化合物、ＮａＦｅＦ３、ＦｅＦ３等のペ
ロブスカイト型フッ化物、ＴｉＳ２、ＭｏＳ２等の金属カルコゲナイド（硫化物、セレン
化物、テルル化物）、ＬｉＭＶＯ４等の逆スピネル型の結晶構造を有するリチウム含有材
料、バナジウム酸化物系（Ｖ２Ｏ５、Ｖ６Ｏ１３、ＬｉＶ３Ｏ８等）、マンガン酸化物、
有機硫黄等の材料を用いることができる。
【００５２】
なお、キャリアイオンが、リチウムイオン以外のアルカリ金属イオンや、アルカリ土類金
属イオンの場合、正極活物質として、上記化合物や酸化物において、リチウムの代わりに
、アルカリ金属（例えば、ナトリウムやカリウム等）、アルカリ土類金属（例えば、カル
シウム、ストロンチウム、バリウム、ベリリウム、マグネシウム等）を用いてもよい。例
えば、ＮａＦｅＯ２や、Ｎａ２／３［Ｆｅ１／２Ｍｎ１／２］Ｏ２などのナトリウム含有
層状酸化物を正極活物質として用いることができる。
【００５３】
また、正極活物質として、上記材料を複数組み合わせた材料を用いてもよい。例えば、上
記材料を複数組み合わせた固溶体を正極活物質として用いることができる。例えば、Ｌｉ
Ｃｏ１／３Ｍｎ１／３Ｎｉ１／３Ｏ２とＬｉ２ＭｎＯ３の固溶体を正極活物質として用い
ることができる。
【００５４】
正極活物質は、一次粒子の平均粒径が５０ｎｍ以上１００μｍ以下のものを用いるとよい
。
【００５５】
正極活物質は負極活物質と共に、蓄電池の電池反応の中心的役割を担いキャリアイオンの
放出及び吸収を行う物質である。蓄電池の寿命を高めるためには、電池反応の不可逆反応
に係る容量が少ない材料であることが好ましく、充放電効率の高い材料であることが好ま
しい。
【００５６】
活物質は電解液と接するため、活物質と電解液とが反応し、反応により活物質が失われ劣
化すると、蓄電池の容量が低下するため、劣化の少ない蓄電池を実現するためには、蓄電
池内のこのような反応が生じないことが望ましい。
【００５７】
電極の導電助剤として、アセチレンブラック（ＡＢ）、グラファイト（黒鉛）粒子、カー
ボンナノチューブ、グラフェン、フラーレンなどを用いることができる。
【００５８】
導電助剤により、電極中に電気伝導のネットワークを形成することができる。導電助剤に
より、正極活物質どうしの電気伝導の経路を維持することができる。正極活物質層中に導
電助剤を添加することにより、高い電気伝導性を有する正極活物質層１０１を実現するこ
とができる。
【００５９】
また、バインダーとして、代表的なポリフッ化ビニリデン（ＰＶＤＦ）の他、ポリイミド
、ポリテトラフルオロエチレン、ポリビニルクロライド、エチレンプロピレンジエンポリ
マー、フッ素ゴム、ポリメチルメタクリレート、ポリエチレン、ニトロセルロース等を用
いることができる。
【００６０】
正極活物質層１０１の総量に対するバインダーの含有量は、１ｗｔ％以上１０ｗｔ％以下
が好ましく、２ｗｔ％以上８ｗｔ％以下がより好ましく、３ｗｔ％以上５ｗｔ％以下がさ
らに好ましい。また、正極活物質層１０１の総量に対する導電助剤の含有量は、１ｗｔ％
以上１０ｗｔ％以下が好ましく、１ｗｔ％以上５ｗｔ％以下がより好ましい。
【００６１】
塗布法を用いて正極活物質層１０１を形成する場合は、正極活物質とバインダーと導電助
剤と分散媒を混合して電極スラリーを作製し、正極集電体１００上に塗布して乾燥させれ
ばよい。
【００６２】
なお、正極集電体１００にはステンレス、金、白金、アルミニウム、チタン等の金属、及
びこれらの合金など、導電性の高く、リチウム等のキャリアイオンと合金化しない材料を
用いることができる。また、シリコン、チタン、ネオジム、スカンジウム、モリブデンな
どの耐熱性を向上させる元素が添加されたアルミニウム合金を用いることができる。また
、シリコンと反応してシリサイドを形成する金属元素で形成してもよい。シリコンと反応
してシリサイドを形成する金属元素としては、ジルコニウム、チタン、ハフニウム、バナ
ジウム、ニオブ、タンタル、クロム、モリブデン、タングステン、コバルト、ニッケル等
がある。正極集電体は、箔状、板状（シート状）、網状、パンチングメタル状、エキスパ
ンドメタル状等の形状を適宜用いることができる。
【００６３】
以上の工程でリチウムイオン蓄電池の正極を作製することができる。
【００６４】
≪負極の構成≫
次に負極について図１（Ａ）を用いて説明する。負極は、負極活物質層１０３と、負極集
電体１０２とを含む。負極を形成する工程を以下に説明する。
【００６５】
負極活物質層１０３に用いられる負極活物質として、炭素系材料としては、黒鉛、易黒鉛
化性炭素（ソフトカーボン）、難黒鉛化性炭素（ハードカーボン）、カーボンナノチュー
ブ、グラフェン、カーボンブラック等がある。黒鉛としては、メソカーボンマイクロビー
ズ（ＭＣＭＢ）、コークス系人造黒鉛、ピッチ系人造黒鉛等の人造黒鉛や、球状化天然黒
鉛等の天然黒鉛がある。また、黒鉛の形状としては鱗片状のものや球状のものなどがある
。
【００６６】
負極活物質として、炭素系材料以外に、リチウムとの合金化・脱合金化反応により充放電
反応を行うことが可能な材料も用いることができる。例えば、Ｇａ、Ｓｉ、Ａｌ、Ｇｅ、
Ｓｎ、Ｐｂ、Ｓｂ、Ｂｉ、Ａｇ、Ｚｎ、Ｃｄ、Ｉｎ等のうち少なくとも一つを含む材料を
用いることができる。このような元素は炭素と比べて容量が大きく、特にシリコンは理論
容量が４２００ｍＡｈ／ｇと高く好ましい。このような元素を用いた合金系材料としては
、例えば、Ｍｇ２Ｓｉ、Ｍｇ２Ｇｅ、Ｍｇ２Ｓｎ、ＳｎＳ２、Ｖ２Ｓｎ３、ＦｅＳｎ２、
ＣｏＳｎ２、Ｎｉ３Ｓｎ２、Ｃｕ６Ｓｎ５、Ａｇ３Ｓｎ、Ａｇ３Ｓｂ、Ｎｉ２ＭｎＳｂ、
ＣｅＳｂ３、ＬａＳｎ３、Ｌａ３Ｃｏ２Ｓｎ７、ＣｏＳｂ３、ＩｎＳｂ、ＳｂＳｎ等があ
る。
【００６７】
また、負極活物質として、ＳｉＯ、ＳｎＯ、ＳｎＯ２、二酸化チタン（ＴｉＯ２）、リチ
ウムチタン酸化物（Ｌｉ４Ｔｉ５Ｏ１２）、リチウム−黒鉛層間化合物（ＬｉｘＣ６）、
五酸化ニオブ（Ｎｂ２Ｏ５）、酸化タングステン（ＷＯ２）、酸化モリブデン（ＭｏＯ２
）等の酸化物を用いることができる。
【００６８】
また、負極活物質として、リチウムと遷移金属の複窒化物である、Ｌｉ３Ｎ型構造をもつ
Ｌｉ３−ｘＭｘＮ（ＭはＣｏ、ＮｉまたはＣｕ）を用いることができる。例えば、Ｌｉ２
．６Ｃｏ０．４Ｎ３は大きな充放電容量（９００ｍＡｈ／ｇ、１８９０ｍＡｈ／ｃｍ３）
を示し好ましい。
【００６９】
リチウムと遷移金属の複窒化物を用いると、負極活物質中にリチウムイオンを含むため、
正極活物質としてリチウムイオンを含まないＶ２Ｏ５、Ｃｒ３Ｏ８等の材料と組み合わせ
ることができる。なお、正極活物質にリチウムイオンを含む材料を用いる場合でも、あら
かじめ正極活物質に含まれるリチウムイオンを脱離させることで、負極活物質としてリチ
ウムと遷移金属の複窒化物を用いることができる。
【００７０】
また、コンバージョン反応が生じる材料を負極活物質として用いることもできる。例えば
、酸化コバルト（ＣｏＯ）、酸化ニッケル（ＮｉＯ）、酸化鉄（ＦｅＯ）等の、リチウム
と合金化反応を行わない遷移金属酸化物を負極活物質に用いてもよい。コンバージョン反
応が生じる材料としては、さらに、Ｆｅ２Ｏ３、ＣｕＯ、Ｃｕ２Ｏ、ＲｕＯ２、Ｃｒ２Ｏ
３等の酸化物、ＣｏＳ０．８９、ＮｉＳ、ＣｕＳ等の硫化物、Ｚｎ３Ｎ２、Ｃｕ３Ｎ、Ｇ
ｅ３Ｎ４等の窒化物、ＮｉＰ２、ＦｅＰ２、ＣｏＰ３等のリン化物、ＦｅＦ３、ＢｉＦ３
等のフッ化物でも起こる。
【００７１】
負極活物質は、一例としては、粒径が５０ｎｍ以上１００μｍ以下のものを用いるとよい
。
【００７２】
なお、正極活物質層１０１においても負極活物質層１０３においても、活物質材料は複数
の材料を特定の割合で組み合わせて用いてもよい。活物質層に複数の材料を用いることで
、より詳細に活物質層の性能を選択することができる。
【００７３】
電極の導電助剤として、アセチレンブラック（ＡＢ）、グラファイト（黒鉛）粒子、カー
ボンナノチューブ、グラフェン、フラーレンなどを用いることができる。
【００７４】
導電助剤により、電極中に電気伝導のネットワークを形成することができる。導電助剤に
より、負極活物質どうしの電気伝導の経路を維持することができる。負極活物質層中に導
電助剤を添加することにより、高い電気伝導性を有する負極活物質層１０３を実現するこ
とができる。
【００７５】
また、バインダーとして、代表的なポリフッ化ビニリデン（ＰＶＤＦ）の他、ポリイミド
、ポリビニルクロライド、エチレンプロピレンジエンポリマー、スチレン−ブタジエンゴ
ム、アクリロニトリル−ブタジエンゴム、フッ素ゴム、ポリ酢酸ビニル、ポリメチルメタ
クリレート、ポリエチレン、ニトロセルロース等を用いることができる。
【００７６】
負極活物質層１０３の総量に対するバインダーの含有量は、１ｗｔ％以上１０ｗｔ％以下
が好ましく、２ｗｔ％以上８ｗｔ％以下がより好ましく、３ｗｔ％以上５ｗｔ％以下がさ
らに好ましい。また、負極活物質層１０３の総量に対する導電助剤の含有量は、１ｗｔ％
以上１０ｗｔ％以下が好ましく、１ｗｔ％以上５ｗｔ％以下がより好ましい。
【００７７】
次いで、負極集電体１０２上に負極活物質層１０３を形成する。塗布法を用いて負極活物
質層１０３を形成する場合は、負極活物質とバインダーと導電助剤と分散媒を混合してス
ラリーを作製し、負極集電体１０２に塗布して乾燥させる。また、乾燥後に必要があれば
プレス処理を行ってもよい。
【００７８】
なお、負極集電体１０２には、ステンレス、金、白金、鉄、銅、チタン、タンタル等の金
属、及びこれらの合金など、導電性の高く、リチウム等のキャリアイオンと合金化しない
材料を用いることができる。また、シリコンと反応してシリサイドを形成する金属元素で
形成してもよい。シリコンと反応してシリサイドを形成する金属元素としては、ジルコニ
ウム、チタン、ハフニウム、バナジウム、ニオブ、タンタル、クロム、モリブデン、タン
グステン、コバルト、ニッケル等がある。負極集電体１０２は、箔状、板状（シート状）
、網状、円柱状、コイル状、パンチングメタル状、エキスパンドメタル状等の形状を適宜
用いることができる。負極集電体１０２は、厚みが５μｍ以上３０μｍ以下のものを用い
るとよい。また、電極集電体の表面の一部に、グラファイトなどを用いてアンダーコート
層を設けてもよい。
【００７９】
以上の工程でリチウムイオン蓄電池の負極を作製することができる。
【００８０】
≪セパレータの構成≫
セパレータ１０４について説明する。セパレータ１０４の材料としては、紙、不織布、ガ
ラス繊維、あるいは、ナイロン（ポリアミド）、ビニロン（ポリビニルアルコール系繊維
）、ポリエステル、アクリル、ポリオレフィン、ポリウレタンといった合成繊維等を用い
ればよい。ただし、後述の電解液に溶解しない材料を選ぶ必要がある。
【００８１】
より具体的には、セパレータ１０４の材料として、例えば、フッ素系ポリマー、ポリエチ
レンオキシド、ポリプロピレンオキシド等のポリエーテル、ポリエチレン、ポリプロピレ
ン等のポリオレフィン、ポリアクリロニトリル、ポリ塩化ビニリデン、ポリメチルメタク
リレート、ポリメチルアクリレート、ポリビニルアルコール、ポリメタクリロニトリル、
ポリビニルアセテート、ポリビニルピロリドン、ポリエチレンイミン、ポリブタジエン、
ポリスチレン、ポリイソプレン、ポリウレタン系高分子及びこれらの誘導体、セルロース
、紙、不織布、ガラス繊維から選ばれる一種を単独で、又は二種以上を組み合せて用いる
ことができる。
【００８２】
セパレータ１０４は、両極の接触を防ぐ絶縁性能、電解液を保持する性能、イオンの伝導
性がなければならない。セパレータとしての機能を有する膜を製造する方法として、膜の
延伸による方法がある。例えば、溶融したポリマー材料を展開して放熱させ、得られた膜
を膜と平行の二軸方向に延伸して孔を形成する、延伸開孔法がある。
【００８３】
次に、セパレータ１０４を蓄電池に組み込む方法としては、セパレータを正極及び負極の
間に挟みこむ方法が可能である。また、正極又は負極の一方にセパレータ１０４を載置し
、正極又は負極のもう一方を併せる方法も可能である。正極、負極、及びセパレータを外
装体に収納し、電解液を含ませることにより、蓄電池を形成することができる。
【００８４】
また、セパレータ１０４を正極または負極の一方の両面を覆うことができる大きさのシー
ト状若しくはエンベロープ状に形成し、セパレータ１０４に包まれた電極とすると、蓄電
池の製造上、電極を機械的な損傷から保護することができ、電極の取り扱いが容易となる
。セパレータに包まれた電極ともう一方の電極とを、併せて外装体に収納し、電解液を含
ませることにより、蓄電池を形成することができる。図１（Ｂ）は、正極と負極を１組用
いて作製した蓄電池の断面構造を示しているが、正極と負極を複数組用いて積層型蓄電池
を作製することもできる。
【００８５】
さらに、セパレータ１０４は複数層としてもよい。セパレータ１０４は、上述の方法で形
成できるが、構成材料と膜の機械的強度のために、膜の孔の大きさや膜の厚さの範囲には
制限がある。第１のセパレータ及び第２のセパレータをそれぞれ延伸法により作製して、
これを併せて蓄電池に用いることができる。第１のセパレータ及び第２のセパレータを構
成する材料には、上記の材料または上記以外の材料から１種類以上を選択して用いること
ができ、膜の形成の条件及び延伸の条件等により、膜中の孔の大きさ、孔の占める体積の
割合（空隙率ともいう）、膜の厚さ等の特性をそれぞれ決定することができる。特性の異
なる二つのセパレータを併せて用いることにより、一方の膜を単独で用いる場合と比べ、
蓄電池のセパレータの性能を多彩に選択することができるようになる。
【００８６】
さらに、蓄電池が可撓性を有していてもよく、可撓性を有する蓄電池に変形応力がかかる
場合にも、第１のセパレータと第２のセパレータとの界面において、両セパレータが摺動
することにより応力を緩和することができるため、複数のセパレータを用いた構造は、可
撓性を有する蓄電池のセパレータの構造としても適している。
【００８７】
以上の工程でリチウムイオン蓄電池にセパレータを組み込むことができる。
【００８８】
≪電解液の構成≫
【００８９】
本発明の一態様に係るリチウムイオン蓄電池に用いることができる電解液１０５は、電解
質（溶質）を含む非水溶液（溶媒）とすることが好ましい。
【００９０】
電解液１０５の溶媒としては、キャリアイオンが移動可能な材料を用いる。例えば、非プ
ロトン性有機溶媒が好ましく、エチレンカーボネート（ＥＣ）、プロピレンカーボネート
（ＰＣ）、ブチレンカーボネート、クロロエチレンカーボネート、ビニレンカーボネート
、γ−ブチロラクトン、γ−バレロラクトン、ジメチルカーボネート（ＤＭＣ）、ジエチ
ルカーボネート（ＤＥＣ）、エチルメチルカーボネート（ＥＭＣ）、ギ酸メチル、酢酸メ
チル、酪酸メチル、１，３−ジオキサン、１，４−ジオキサン、ジメトキシエタン（ＤＭ
Ｅ）、ジメチルスルホキシド、ジエチルエーテル、メチルジグライム、アセトニトリル、
ベンゾニトリル、テトラヒドロフラン、スルホラン、スルトン等の１種、又はこれらのう
ちの２種以上を任意の組み合わせ及び比率で用いることができる。
【００９１】
また、電解液１０５の溶媒としてゲル化される高分子材料を用いることで、漏液性等に対
する安全性が高まる。また、リチウムイオン蓄電池の薄型化及び軽量化が可能である。ゲ
ル化される高分子材料の代表例としては、シリコーンゲル、アクリルゲル、アクリロニト
リルゲル、ポリエチレンオキサイド系ゲル、ポリプロピレンオキサイド系ゲル、フッ素系
ポリマーのゲル等がある。
【００９２】
また、電解液の溶媒として、難燃性及び難蒸発性であるイオン液体（常温溶融塩ともいう
）を一つまたは複数用いることで、リチウムイオン蓄電池の内部短絡や、過充電等によっ
て内部温度が上昇しても、リチウムイオン蓄電池の破裂や発火などを防ぐことができる。
これにより、リチウムイオン蓄電池の安全性を高めることができる。
【００９３】
また、蓄電池に用いる電解液は、粒状のごみや電解液の構成元素以外の元素（以下、単に
「不純物」ともいう。）の含有量が少ない高純度化された電解液を用いることが好ましい
。具体的には、電解液に対する不純物の質量比を１％以下、好ましくは０．１％以下、よ
り好ましくは０．０１％以下とすることが好ましい。また、電解液にビニレンカーボネー
トなどの添加剤を加えてもよい。
【００９４】
また、上記の溶媒に溶解させる電解質としては、キャリアにリチウムイオンを用いる場合
、例えばＬｉＰＦ６、ＬｉＣｌＯ４、ＬｉＡｓＦ６、ＬｉＢＦ４、ＬｉＡｌＣｌ４、Ｌｉ
ＳＣＮ、ＬｉＢｒ、ＬｉＩ、Ｌｉ２ＳＯ４、Ｌｉ２Ｂ１０Ｃｌ１０、Ｌｉ２Ｂ１２Ｃｌ１
２、ＬｉＣＦ３ＳＯ３、ＬｉＣ４Ｆ９ＳＯ３、ＬｉＣ（ＣＦ３ＳＯ２）３、ＬｉＣ（Ｃ２
Ｆ５ＳＯ２）３、ＬｉＮ（ＣＦ３ＳＯ２）２、ＬｉＮ（Ｃ４Ｆ９ＳＯ２）（ＣＦ３ＳＯ２
）、ＬｉＮ（Ｃ２Ｆ５ＳＯ２）２等のリチウム塩を一種、又はこれらのうちの二種以上を
任意の組み合わせ及び比率で用いることができる。
【００９５】
なお、上記の電解質では、キャリアイオンがリチウムイオンである場合について説明した
が、リチウムイオン以外のキャリアイオンも用いることができる。リチウムイオン以外の
キャリアイオンとしては、アルカリ金属イオンやアルカリ土類金属イオンの場合、電解質
として、上記リチウム塩において、リチウムの代わりに、アルカリ金属（例えば、ナトリ
ウムやカリウム等）、アルカリ土類金属（例えば、カルシウム、ストロンチウム、バリウ
ム、ベリリウム、またはマグネシウム等）を用いてもよい。
【００９６】
なお、電解液は、正極の集電体と反応し、正極集電体を腐食する場合がある。そのような
腐食を防止するため、電解液に数ｗｔ％のＬｉＰＦ６を添加することが好ましい。正極集
電体表面に不導体膜を生じ、該不導体膜が電解液と正極集電体との反応を抑制するためで
ある。ただし、正極活物質層を溶解させないために、ＬｉＰＦ６の濃度は１０ｗｔ％以下
、好ましくは５ｗｔ％以下、より好ましくは３ｗｔ％以下とするとよい。
【００９７】
≪外装体の構成≫
次に、外装体２０７について説明する。外装体２０７には、例えばポリエチレン、ポリプ
ロピレン、ポリカーボネート、アイオノマー、ポリアミド等の材料からなる膜上に、アル
ミニウム、ステンレス、銅、ニッケル等の可撓性に優れた金属薄膜を設け、さらに該金属
薄膜上に外装体の外面としてポリアミド系樹脂、ポリエステル系樹脂等の絶縁性合成樹脂
膜を設けた三層構造のフィルムを用いることができる。このような三層構造とすることで
、電解液や気体の透過を遮断するとともに、絶縁性を確保し、併せて耐電解液性を有する
。外装体を内側に折り曲げて重ねて、または、２つの外装体それぞれの内面を向い合せて
重ねて熱を加えることにより、内面の材料が融け２つの外装体を融着することができ、封
止構造を作製することができる。
【００９８】
外装体が融着等され封止構造が形成されている箇所を封止部とすると、外装体を内側に折
り曲げて重ねた場合は、折り目以外の個所に封止部が形成され、外装体の第１の領域と、
該第１の領域と重なる第２の領域とが融着等された構造となる。また、２枚の外装体を重
ねた場合は熱融着等の方法で外周すべてに封止部が形成される。
【００９９】
≪可撓性の蓄電池≫
本実施の形態にて示された各部材の材料から、可撓性を有する材料を選択して用いると、
可撓性を有するリチウムイオン蓄電池を作製することができる。近年、変形可能なデバイ
スの研究及び開発が盛んである。そのようなデバイスに用いる蓄電池として、可撓性を有
する蓄電池の需要が生じている。
【０１００】
２枚のフィルムを外装体として電極・電解液など１８０５を挟む蓄電池を湾曲させた場合
には、蓄電池の曲率中心１８００に近い側のフィルム１８０１の曲率半径１８０２は、曲
率中心１８００から遠い側のフィルム１８０３の曲率半径１８０４よりも小さい（図２（
Ａ））。蓄電池を湾曲させて断面を円弧状とすると曲率中心１８００に近いフィルムの表
面には圧縮応力がかかり、曲率中心１８００から遠いフィルムの表面には引っ張り応力が
かかる（図２（Ｂ））。
【０１０１】
可撓性を有するリチウムイオン蓄電池を変形させたとき、外装体に大きな応力がかかるが
、外装体の表面に凹部または凸部で形成される模様を形成すると、蓄電池の変形により圧
縮応力や引っ張り応力がかかったとしても、ひずみによる影響を抑えることができる。そ
のため、蓄電池は、曲率中心に近い側の外装体の曲率半径が５０ｍｍ好ましくは３０ｍｍ
となる範囲で変形することができる。
【０１０２】
面の曲率半径について、図３を用いて説明する。図３（Ａ）において、曲面１７００を切
断した平面１７０１において、曲面１７００に含まれる曲線１７０２の一部を円の弧に近
似して、その円の半径を曲率半径１７０３とし、円の中心を曲率中心１７０４とする。図
３（Ｂ）に曲面１７００の上面図を示す。図３（Ｃ）に、平面１７０１で曲面１７００を
切断した断面図を示す。曲面を平面で切断するとき、曲面に対する平面の角度や切断する
位置に応じて、断面に現れる曲線の曲率半径は異なるものとなるが、本明細書等では、最
も小さい曲率半径を面の曲率半径とする。
【０１０３】
なお、蓄電池の断面形状は、単純な円弧状に限定されず、一部が円弧を有する形状にする
ことができ、例えば図２（Ｃ）に示す形状や、波状（図２（Ｄ））、Ｓ字形状などとする
こともできる。蓄電池の曲面が複数の曲率中心を有する形状となる場合は、複数の曲率中
心それぞれにおける曲率半径の中で、最も曲率半径が小さい曲面において、２枚の外装体
の曲率中心に近い方の外装体の曲率半径が、５０ｍｍ好ましくは３０ｍｍとなる範囲で蓄
電池が変形することができる。
【０１０４】
≪蓄電池の組み立て及びエージング≫
次に、上述の構成部材を組み合わせて、外装体２０７を封止することにより図１（Ａ）及
び（Ｂ）に示す通り、正極集電体１００と、正極活物質層１０１と、セパレータ１０４と
、負極活物質層１０３と、負極集電体１０２とを積み重ね、電解液１０５とともに外装体
２０７により封止された状態とする。
【０１０５】
次に、エージング工程を行う。まず環境温度を例えば室温程度に保ち、低いレートで一致
電圧まで定電流充電を行う。次に、充電により外装体内部の領域に発生したガスを、外装
体外部に放出させる。次に、さらに初回の充電よりも高いレートで充電を行う。
【０１０６】
その後、やや高い温度環境下で長時間保存する。例えば４０℃以上の環境下で２４時間以
上保存する。
【０１０７】
やや高い温度環境下で長時間保存した後、再び外装体内部の領域に発生したガスを放出さ
せる。さらに室温環境下で０．２Ｃのレートで放電し、同レートにて充電し、再び同レー
トで放電した後、さらに同レートで充電する。そして、同レートで放電することによりエ
ージング工程を終了する。
【０１０８】
以上のようにして、本発明に係る蓄電池を製造することができる。
【０１０９】
本実施の形態は、他の実施の形態と適宜組み合わせて実施することが可能である。
【０１１０】
なお、本明細書等においては、ある一つの実施の形態において述べる図または文章におい
て、少なくとも一つの具体例が記載される場合、その具体例の上位概念を導き出すことは
、当業者であれば容易に理解される。したがって、ある一つの実施の形態において述べる
図または文章において、少なくとも一つの具体例が記載される場合、その具体例の上位概
念も、発明の一態様として開示されているものであり、発明の一態様を構成することが可
能である。そして、その発明の一態様は、明確であると言える。
【０１１１】
なお、本明細書等においては、少なくとも図に記載した内容（図の中の一部でもよい）は
、発明の一態様として開示されているものであり、発明の一態様を構成することが可能で
ある。したがって、ある内容について、図に記載されていれば、文章を用いて述べていな
くても、その内容は、発明の一態様として開示されているものであり、発明の一態様を構
成することが可能である。同様に、図の一部を取り出した図についても、発明の一態様と
して開示されているものであり、発明の一態様を構成することが可能である。そして、そ
の発明の一態様は明確であると言える。
【０１１２】
なお、本実施の形態において、本発明の一態様について述べた。または、他の実施の形態
において、本発明の一態様について述べる。ただし、本発明の一態様は、これらに限定さ
れない。つまり、本実施の形態および他の実施の形態では、様々な発明の態様が記載され
ているため、本発明の一態様は、特定の態様に限定されない。例えば、本発明の一態様と
して、リチウムイオン二次電池に適用した場合の例を示したが、本発明の一態様は、これ
に限定されない。場合によっては、または、状況に応じて、本発明の一態様は、様々な二
次電池、鉛蓄電池、リチウムイオンポリマー二次電池、ニッケル・水素蓄電池、ニッケル
・カドミウム蓄電池、ニッケル・鉄蓄電池、ニッケル・亜鉛蓄電池、酸化銀・亜鉛蓄電池
、固体電池、空気電池、一次電池、キャパシタ、または、電気二重層キャパシタ、ウルト
ラ・キャパシタ、スーパー・キャパシタ、リチウムイオンキャパシタ、などに適用しても
よい。または例えば、場合によっては、または、状況に応じて、本発明の一態様は、リチ
ウムイオン二次電池に適用しなくてもよい。
【０１１３】
（実施の形態２）
本実施の形態では、上記実施の形態で説明したリチウムイオン蓄電池の外装体に配線を設
ける構成の一例、及び配線とリチウムイオン蓄電池の破断を検知するための回路の一例に
ついて説明する。
【０１１４】
図２４（Ａ）は、外装体に配線を設けたラミネート型の畜電池の模式図である。図２４（
Ｂ）は、図２４（Ａ）中、一点鎖線Ｘ１−Ｘ２での断面図である。図２４（Ａ）及び（Ｂ
）に示すリチウムイオン蓄電池１１０の外装体５００７には、変形による疲労（ダメージ
）により損傷することを防止するため、外装体５００７の形状に沿って配線５００６を設
ける。また外装体５００７には、配線５００６の破断等の損傷を検知するための回路５０
０８を設ける。
【０１１５】
配線５００６は、損傷を防止したい部材を構成する材料、ここでは外装体５００７の材料
よりも変形に弱い材料を用いることができる。配線５００６は予め用意していたものを外
装体５００７に貼付して設けてもよく、導電性のペースト又はスラリーを外装体５００７
の上に所定の形状で塗布又は印刷して、これを乾燥させて設けてもよい。また、配線５０
０６の上には、変形による疲労（ダメージ）以外の損傷を防ぐための保護膜を設けてもよ
い。
【０１１６】
外装体５００７の材料は実施の形態１にて示した通り、例えばポリエチレン、ポリプロピ
レン、ポリカーボネート、アイオノマー、ポリアミド等の材料からなる膜上に、アルミニ
ウム、ステンレス、銅、ニッケル等の可撓性に優れた金属薄膜を設け、さらに該金属薄膜
上に外装体の外面としてポリアミド系樹脂、ポリエステル系樹脂等の絶縁性合成樹脂膜を
設けた三層構造のフィルムを用いることができる。このような三層構造のフィルムを外装
体に用いた場合、変形を繰り返し疲労（ダメージ）が蓄積すると、まず金属薄膜層に損傷
を生じる場合がある。そのため、配線５００６は該金属薄膜層よりも変形に対して脆弱で
あればよい。
【０１１７】
三層構造のフィルム状の外装体を用いるとき、配線５００６を金属薄膜層よりも脆弱とす
るためには、機械的強度が該金属薄膜層よりも低い材料を用いることができる。機械的強
度の評価方法は各種知られているが、いずれかの評価方法で評価した結果、強度が低い材
料であればよく、種々の機械的強度の評価方法を用いることができる。
【０１１８】
図２４（Ａ）では、一例として、配線５００６を２か所に設けているが、配線の数は２か
所に限らない。一連の配線５００６の両端は、それぞれ回路５００８と電気的に接続され
るように設ける。
【０１１９】
図２４（Ａ）では、一例として、回路５００８を外装体５００７上に設けているが、回路
５００８の設置場所の限定はない。例えば、リチウムイオン蓄電池１１０の内部に設けて
もよい。あるいはリチウムイオン蓄電池１１０の外部に設けてもよい。あるいは、リチウ
ムイオン蓄電池１１０の電池制御ユニットＢＭＵと同じ基板上に設けてもよい。また、あ
るいは、リチウムイオン蓄電池１１０から電力の供給を受ける電子機器に設けてもよい。
なお回路５００８を駆動するための電力は、直接リチウムイオン蓄電池１１０から供給す
ればよい。この場合、リチウムイオン蓄電池１１０の電圧を必要に応じて昇圧または降圧
して供給すればよい。
【０１２０】
図２５（Ａ）に示す回路図は、図２４（Ａ）及び（Ｂ）で示した回路５００８と配線５０
０６との接続を説明する図である。なお図２５（Ａ）では説明のため、外装体５００７内
部の電池セル５０１１、＋端子、−端子、破断等の損傷の有無を出力する信号を出力する
端子Ｓａｌｅｒｔを図示している。＋端子、−端子、及び端子Ｓａｌｅｒｔは、外部に信
号を取り出すためのＦＰＣ側にあり、回路５００８及び配線５００６は、外装体５００７
側にある。
【０１２１】
図２５（Ａ）において、配線５００６の一端は電池セル５０１１の正極と電気的に接続さ
れている。また、配線５００６の他端は配線５００６を介して、電池セル５０１１の正極
と電気的に接続されている。
【０１２２】
回路５００８は、配線５００６の一端及び他端のそれぞれに接続される。回路５００８は
、配線５００６の破断等の損傷の有無に従って信号を出力する機能を有する。回路５００
８は、一例としては、配線５００６の一端と他端との電位の違いを検出して、端子Ｓａｌ
ｅｒｔに信号を出力することができる。
【０１２３】
回路５００８の構成を図２５（Ｂ）に示す。回路５００８は、排他的論理和回路５００９
と、Ｄラッチ５０１０と、を有する。なお、回路５００８を構成するトランジスタに、チ
ャネル形成領域に酸化物半導体を用いることができ、酸化物半導体として上述のＣＡＡＣ
−ＯＳ膜を用いることもできる。
【０１２４】
排他的論理和回路５００９の入力は、配線５００６の一端の電位５００６＿１と配線５０
０６の他端の電位５００６＿２とが与えられる。排他的論理和回路５００９の出力は、Ｄ
ラッチ５０１０のＤ端子とＣＫ端子の双方に与えられる。Ｄラッチ５０１０の出力は、Ｑ
端子から端子Ｓａｌｅｒｔに与えられる。端子Ｓａｌｅｒｔから出力される破断等の損傷
の有無を出力する信号は、外部の回路に出力される。
【０１２５】
回路５００８は、配線５００６に破断等の損傷がないとき、ローレベル（低電位）の信号
を出力する。配線５００６が破断等しておらず損傷がないとき、配線５００６の抵抗は小
さいため、電位５００６＿１と電位５００６＿２は同電位である。このとき排他的論理和
回路５００９は低電位を出力し、Ｄラッチ５０１０のＤ端子とＣＫ端子には低電位が入力
されるため、Ｄラッチ５０１０のＱ端子からも低電位が出力される。これが、配線５００
６に破断等の損傷のない正常な状態での動作である。
【０１２６】
一方、回路５００８は、配線５００６に破断等の損傷があるとき、ハイレベル（高電位）
の信号を出力する。リチウムイオン蓄電池１１０が繰り返し変形することにより、配線５
００６と、外装体５００７とが変形して、疲労（ダメージ）が蓄積すると、まず配線５０
０６に破断等の損傷が発生し電気抵抗が増大する。すると、配線５００６の他端の電位５
００６＿２は、電池セル５０１１からの電荷の供給が途絶えるため、外部への電荷の放出
によって電位が低下する。一方で配線５００６の一端の電位５００６＿１は、電池セル５
０１１からの電荷の供給があるため、電位５００６＿１と電位５００６＿２とを異ならせ
ることができる。排他的論理和回路５００９は、電位５００６＿１と電位５００６＿２が
異なる電位の場合、高電位を出力し、Ｄラッチ５０１０のＤ端子とＣＫ端子には高電位が
入力されるため、Ｄラッチ５０１０のＱ端子からも高電位が出力される。これが、配線５
００６に破断等の損傷のある状態での動作である。
【０１２７】
回路５００８は、配線５００６に破断等の損傷のあるときに外部の回路に高電位を信号と
して出力することで、配線５００６の異常状態を報知して使用者にリチウムイオン蓄電池
１１０の使用を停止して新しい蓄電池と交換するよう警告することができる。そのため、
リチウムイオン蓄電池１１０の外装体５００７に損傷が生じる前に使用を中止することが
できるため、外装体５００７の損傷による事故を防止することができる。なお、該信号は
Ｄラッチ５０１０により形成されているため、ひとたび出力されれば該信号が出力され続
ける。
【０１２８】
本実施の形態において、配線の損傷を回路で検出する方法について説明したが、配線の損
傷を検知する方法はこれに限らない。配線の疲労（ダメージ）の蓄積による熱伝導性の変
化、体積の変化等、種々の変化する物性を利用することができる。
【０１２９】
以上のようにして、本発明に係るリチウムイオン蓄電池は、繰り返しの変形に起因する疲
労（ダメージ）の蓄積による部材の破損事故を防止することができる。
【０１３０】
本実施の形態は、他の実施の形態と適宜組み合わせて実施することが可能である。
【０１３１】
（実施の形態３）
本実施の形態では、本発明の一態様に係る蓄電池の構造について、図４乃至図６を参照し
て説明する。
【０１３２】
≪コイン型蓄電池≫
図４（Ａ）は、コイン型（単層偏平型）の蓄電池の外観図であり、図４（Ｂ）は、その断
面図である。
【０１３３】
コイン型の蓄電池３００は、正極端子を兼ねた正極缶３０１と負極端子を兼ねた負極缶３
０２とが、ポリプロピレン等で形成されたガスケット３０３で絶縁シールされている。正
極３０４は、正極集電体３０５と、これと接するように設けられた正極活物質層３０６に
より形成される。正極活物質層３０６は、正極活物質の他、正極活物質の密着性を高める
ための結着剤（バインダー）、正極活物質層の導電性を高めるための導電助剤等を有して
もよい。
【０１３４】
また、負極３０７は、負極集電体３０８と、これに接するように設けられた負極活物質層
３０９により形成される。負極活物質層３０９は、負極活物質の他、負極活物質の密着性
を高めるための結着剤（バインダー）、負極活物質層の導電性を高めるための導電助剤等
を有してもよい。正極活物質層３０６と負極活物質層３０９との間には、セパレータ３１
０と、電解質（図示せず）とを有する。
【０１３５】
各構成部材には、実施の形態１で示した材料を用いることができる。
【０１３６】
正極缶３０１、負極缶３０２には、電解液に対して耐腐食性のある、ニッケル、チタン等
の金属、またはこれらの合金やこれらと他の金属との合金（例えばステンレス鋼等）を用
いることができる。また、電解液による腐食を防ぐため、ニッケル等を被覆することが好
ましい。正極缶３０１は正極３０４と、負極缶３０２は負極３０７とそれぞれ電気的に接
続する。
【０１３７】
これら負極３０７、正極３０４及びセパレータ３１０を電解質に含浸させ、図４（Ｂ）に
示すように、正極缶３０１を下にして正極３０４、セパレータ３１０、負極３０７、負極
缶３０２をこの順で積層し、正極缶３０１と負極缶３０２とをガスケット３０３を介して
圧着してコイン形の蓄電池３００を製造する。
【０１３８】
ここで図４（Ｃ）を用いて蓄電池の充電時の電流の流れを説明する。リチウムを用いた蓄
電池を一つの閉回路とみなした時、リチウムイオンの動きと電流の流れは同じ向きになる
。なお、リチウムを用いた蓄電池では、充電と放電でアノード（陽極）とカソード（陰極
）が入れ替わり、酸化反応と還元反応とが入れ替わることになるため、反応電位が高い電
極を正極と呼び、反応電位が低い電極を負極と呼ぶ。したがって、本明細書においては、
充電中であっても、放電中であっても、逆パルス電流を流す場合であっても、充電電流を
流す場合であっても、正極は「正極」または「＋極（プラス極）」と呼び、負極は「負極
」または「−極（マイナス極）」と呼ぶこととする。酸化反応や還元反応に関連したアノ
ード（陽極）やカソード（陰極）という用語を用いると、充電時と放電時とでは、逆にな
ってしまい、混乱を招く可能性がある。したがって、アノード（陽極）やカソード（陰極
）という用語は、本明細書においては用いないこととする。仮にアノード（陽極）やカソ
ード（陰極）という用語を用いる場合には、充電時か放電時かを明記し、正極（プラス極
）と負極（マイナス極）のどちらに対応するものかも併記することとする。
【０１３９】
図４（Ｃ）に示す２つの端子には充電器が接続され、蓄電池４００が充電される。蓄電池
４００の充電が進めば、電極間の電位差は大きくなる。図４（Ｃ）では、蓄電池４００の
外部の端子から、正極４０２の方へ流れ、蓄電池４００の中において、正極４０２から負
極４０４の方へ流れ、負極から蓄電池４００の外部の端子の方へ流れる電流の向きを正の
向きとしている。つまり、充電電流の流れる向きを電流の向きとしている。
【０１４０】
≪円筒型蓄電池≫
次に、円筒型の蓄電池の一例について、図５を参照して説明する。円筒型の蓄電池６００
は図５（Ａ）に示すように、上面に正極キャップ（電池蓋）６０１を有し、側面及び底面
に電池缶（外装缶）６０２を有している。これら正極キャップと電池缶（外装缶）６０２
とは、ガスケット（絶縁パッキン）６１０によって絶縁されている。
【０１４１】
図５（Ｂ）は、円筒型の蓄電池の断面を模式的に示した図である。中空円柱状の電池缶６
０２の内側には、帯状の正極６０４と負極６０６とがセパレータ６０５を間に挟んで捲回
された電池素子が設けられている。図示しないが、電池素子はセンターピンを中心に捲回
されている。電池缶６０２は、一端が閉じられ、他端が開いている。電池缶６０２には、
電解液に対して耐腐食性のあるニッケル、チタン等の金属、又はこれらの合金やこれらと
他の金属との合金（例えば、ステンレス鋼等）を用いることができる。また、電解液によ
る腐食を防ぐため、ニッケル等を被覆することが好ましい。電池缶６０２の内側において
、正極、負極及びセパレータが捲回された電池素子は、対向する一対の絶縁板６０８、６
０９により挟まれている。また、電池素子が設けられた電池缶６０２の内部は、非水電解
液（図示せず）が注入されている。非水電解液は、コイン型の蓄電池と同様のものを用い
ることができる。
【０１４２】
正極６０４及び負極６０６は、上述したコイン型の蓄電池の正極及び負極と同様に製造す
ればよいが、円筒型の蓄電池に用いる正極及び負極は捲回するため、集電体の両面に活物
質を形成する点において異なる。正極６０４には正極端子（正極集電タブ）６０３が接続
され、負極６０６には負極端子（負極集電タブ）６０７が接続される。正極端子６０３及
び負極端子６０７は、ともにアルミニウムなどの金属材料を用いることができる。正極端
子６０３は安全弁機構６１２に、負極端子６０７は電池缶６０２の底にそれぞれ抵抗溶接
される。安全弁機構６１２は、ＰＴＣ素子（Ｐｏｓｉｔｉｖｅ  Ｔｅｍｐｅｒａｔｕｒｅ
Ｃｏｅｆｆｉｃｉｅｎｔ）６１１を介して正極キャップ６０１と電気的に接続されてい
る。安全弁機構６１２は電池の内圧の上昇が所定の閾値を超えた場合に、正極キャップ６
０１と正極６０４との電気的な接続を切断するものである。また、ＰＴＣ素子６１１は温
度が上昇した場合に抵抗が増大する熱感抵抗素子であり、抵抗の増大により電流量を制限
して異常発熱を防止するものである。ＰＴＣ素子には、チタン酸バリウム（ＢａＴｉＯ３
）系半導体セラミックス等を用いることができる。
【０１４３】
≪ラミネート型蓄電池≫
次に、ラミネート型の蓄電池の一例について、図６（Ａ）を参照して説明する。ラミネー
ト型の蓄電池は、可撓性を有する構成とすれば、可撓性を有する部位を少なくとも一部有
する電子機器に実装すれば、電子機器の変形に合わせて蓄電池も曲げることもできる。
【０１４４】
図６（Ａ）に示すラミネート型の蓄電池５００は、正極集電体５０１および正極活物質層
５０２を有する正極５０３と、負極集電体５０４および負極活物質層５０５を有する負極
５０６と、セパレータ５０７と、電解液５０８と、外装体５０９と、を有する。外装体５
０９内に設けられた正極５０３と負極５０６との間にセパレータ５０７が設置されている
。また、外装体５０９内は、電解液５０８で満たされている。電解液５０８には、実施の
形態１で示した電解液を用いることができる。
【０１４５】
図６（Ａ）に示すラミネート型の蓄電池５００において、正極集電体５０１および負極集
電体５０４は、外部との電気的接触を得る端子の役割も兼ねている。そのため、正極集電
体５０１および負極集電体５０４の一部は、外装体５０９から外側に露出するように配置
してもよい。また、正極集電体５０１および負極集電体５０４を、外装体５０９から外側
に露出させず、タブ電極を用いてそのタブ電極と正極集電体５０１、或いは負極集電体５
０４と超音波接合させてタブ電極を外側に露出するようにしてもよい。
【０１４６】
ラミネート型の蓄電池５００において、外装体５０９には、例えばポリエチレン、ポリプ
ロピレン、ポリカーボネート、アイオノマー、ポリアミド等の材料からなる膜上に、アル
ミニウム、ステンレス、銅、ニッケル等の可撓性に優れた金属薄膜を設け、さらに該金属
薄膜上に外装体の外面としてポリアミド系樹脂、ポリエステル系樹脂等の絶縁性合成樹脂
膜を設けた三層構造のラミネートフィルムを用いることができる。
【０１４７】
また、ラミネート型の蓄電池５００の断面構造の一例を図６（Ｂ）に示す。図６（Ａ）で
は簡略のため、２つの集電体で構成する例を示しているが、実際は、複数の電極層で構成
する。
【０１４８】
図６（Ｂ）では、一例として、電極層数を１６としている。なお、電極層数を１６として
も蓄電池５００は、可撓性を有する。図６（Ｂ）では負極集電体５０４が８層と、正極集
電体５０１が８層の合計１６層の構造を示している。なお、図６（Ｂ）は負極の取り出し
部の断面を示しており、８層の負極集電体５０４を超音波接合させている。勿論、電極層
数は１６に限定されず、多くてもよいし、少なくてもよい。電極層数が多い場合には、よ
り多くの容量を有する蓄電池とすることができる。また、電極層数が少ない場合には、薄
型化でき、可撓性に優れた蓄電池とすることができる。
【０１４９】
ここで、ラミネート型の蓄電池５００の外観図の一例を図７及び図８に示す。図７及び図
８は、正極５０３、負極５０６、セパレータ５０７、外装体５０９、正極タブ電極５１０
及び負極タブ電極５１１を有する。
【０１５０】
図９（Ａ）は正極５０３及び負極５０６の外観図を示す。正極５０３は正極集電体５０１
を有し、正極活物質層５０２は正極集電体５０１の表面に形成されている。また、正極５
０３は正極集電体５０１が一部露出する領域（タブ領域という）を有する。負極５０６は
負極集電体５０４を有し、負極活物質層５０５は負極集電体５０４の表面に形成されてい
る。また、負極５０６は負極集電体５０４が一部露出する領域、すなわちタブ領域を有す
る。正極及び負極が有するタブ領域の面積や形状は、図９（Ａ）に示す例に限られない。
【０１５１】
≪ラミネート型蓄電池の作製方法≫
ここで、図７に外観図を示すラミネート型蓄電池の作製方法の一例について、図９（Ｂ）
、（Ｃ）を用いて説明する。
【０１５２】
まず、負極５０６、セパレータ５０７及び正極５０３を積層する。図９（Ｂ）に積層され
た負極５０６、セパレータ５０７及び正極５０３を示す。ここでは負極を５組、正極を４
組使用する例を示す。次に、正極５０３のタブ領域同士の接合と、最表面の正極のタブ領
域への正極タブ電極５１０の接合を行う。接合には、例えば超音波溶接等を用いればよい
。同様に、負極５０６のタブ領域同士の接合と、最表面の負極のタブ領域への負極タブ電
極５１１の接合を行う。
【０１５３】
次に外装体５０９上に、負極５０６、セパレータ５０７及び正極５０３を配置する。
【０１５４】
次に、図９（Ｃ）に示すように、外装体５０９を破線で示した部分で折り曲げる。その後
、外装体５０９の外周部を接合する。接合には例えば熱圧着等を用いればよい。この時、
後に電解液５０８を入れることができるように、外装体５０９の一部（または一辺）に接
合されない領域（以下、導入口という）を設ける。
【０１５５】
次に、外装体５０９に設けられた導入口から、電解液５０８を外装体５０９の内側へ導入
する。電解液５０８の導入は、減圧雰囲気下、或いは不活性ガス雰囲気下で行うことが好
ましい。そして最後に、導入口を接合する。このようにして、ラミネート型の蓄電池であ
る蓄電池５００を作製することができる。
【０１５６】
なお、本実施の形態では、蓄電池として、コイン型、ラミネート型及び円筒型の蓄電池を
示したが、その他の封止型蓄電池、角型蓄電池等様々な形状の蓄電池を用いることができ
る。また、正極、負極、及びセパレータが複数積層された構造、正極、負極、及びセパレ
ータが捲回された構造であってもよい。
【０１５７】
また、可撓性を有するラミネート型の蓄電池を電子機器に実装する例を図１０に示す。フ
レキシブルな形状を備える蓄電池を適用した電子機器として、例えば、テレビジョン装置
（テレビ、又はテレビジョン受信機ともいう）、コンピュータ用などのモニタ、デジタル
カメラ、デジタルビデオカメラ、デジタルフォトフレーム、携帯電話機（携帯電話、携帯
電話装置ともいう）、携帯型ゲーム機、携帯情報端末、音響再生装置、パチンコ機などの
大型ゲーム機などが挙げられる。
【０１５８】
また、フレキシブルな形状を備える蓄電池を、家屋やビルの内壁または外壁や、自動車の
内装または外装の曲面に沿って組み込むことも可能である。
【０１５９】
図１０（Ａ）は、携帯電話機の一例を示している。携帯電話機７４００は、筐体７４０１
に組み込まれた表示部７４０２の他、操作ボタン７４０３、外部接続ポート７４０４、ス
ピーカ７４０５、マイク７４０６などを備えている。なお、携帯電話機７４００は、蓄電
池７４０７を有している。
【０１６０】
図１０（Ｂ）は、携帯電話機７４００を湾曲させた状態を示している。携帯電話機７４０
０を外部の力により変形させて全体を湾曲させると、その内部に設けられている蓄電池７
４０７も湾曲される。また、その時、曲げられた蓄電池７４０７の状態を図１０（Ｃ）に
示す。蓄電池７４０７はラミネート型の蓄電池である。
【０１６１】
図１０（Ｄ）は、バングル型の表示装置の一例を示している。携帯表示装置７１００は、
筐体７１０１、表示部７１０２、操作ボタン７１０３、及び蓄電池７１０４を備える。ま
た、図１０（Ｅ）に曲げられた蓄電池７１０４の状態を示す。
【０１６２】
≪蓄電池の構造例≫
蓄電池の構造例について、図１１乃至図１５を用いて説明する。
【０１６３】
図１１（Ａ）及び図１１（Ｂ）は、蓄電池の外観図を示す図である。蓄電池は、回路基板
９００と、蓄電池９１３と、を有する。蓄電池９１３には、ラベル９１０が貼られている
。さらに、図１１（Ｂ）に示すように、蓄電池は、端子９５１と、端子９５２と、アンテ
ナ９１４と、アンテナ９１５と、を有する。
【０１６４】
回路基板９００は、端子９１１と、回路９１２と、を有する。端子９１１は、端子９５１
、端子９５２、アンテナ９１４、アンテナ９１５、及び回路９１２に接続される。なお、
端子９１１を複数設けて、複数の端子９１１のそれぞれを、制御信号入力端子、電源端子
などとしてもよい。
【０１６５】
回路９１２は、回路基板９００の裏面に設けられていてもよい。なお、アンテナ９１４及
びアンテナ９１５は、コイル状に限定されず、例えば線状、板状であってもよい。また、
平面アンテナ、開口面アンテナ、進行波アンテナ、ＥＨアンテナ、磁界アンテナ、誘電体
アンテナ等のアンテナを用いてもよい。又は、アンテナ９１４若しくはアンテナ９１５は
、平板状の導体でもよい。この平板状の導体は、電界結合用の導体の一つとして機能する
ことができる。つまり、コンデンサの有する２つの導体のうちの一つの導体として、アン
テナ９１４若しくはアンテナ９１５を機能させてもよい。これにより、電磁界、磁界だけ
でなく、電界で電力のやり取りを行うこともできる。
【０１６６】
アンテナ９１４の線幅は、アンテナ９１５の線幅よりも大きいことが好ましい。これによ
り、アンテナ９１４により受電する電力量を大きくできる。
【０１６７】
蓄電池は、アンテナ９１４及びアンテナ９１５と、蓄電池９１３との間に層９１６を有す
る。層９１６は、例えば蓄電池９１３による電磁界への影響を防止することができる機能
を有する。層９１６としては、例えば磁性体を用いることができる。
【０１６８】
なお、蓄電池の構造は、図１１に限定されない。
【０１６９】
例えば、図１２（Ａ−１）及び図１２（Ａ−２）に示すように、図１１（Ａ）及び図１１
（Ｂ）に示す蓄電池９１３のうち、対向する一対の面のそれぞれにアンテナを設けてもよ
い。図１２（Ａ−１）は、上記一対の面の一方側方向から見た外観図であり、図１２（Ａ
−２）は、上記一対の面の他方側方向から見た外観図である。なお、図１１（Ａ）及び図
１１（Ｂ）に示す蓄電池と同じ部分については、図１１（Ａ）及び図１１（Ｂ）に示す蓄
電池の説明を適宜援用できる。
【０１７０】
図１２（Ａ−１）に示すように、蓄電池９１３の一対の面の一方に層９１６を挟んでアン
テナ９１４が設けられ、図１２（Ａ−２）に示すように、蓄電池９１３の一対の面の他方
に層９１７を挟んでアンテナ９１５が設けられる。層９１７は、例えば蓄電池９１３によ
る電磁界への影響を防止することができる機能を有する。層９１７としては、例えば磁性
体を用いることができる。
【０１７１】
上記構造にすることにより、アンテナ９１４及びアンテナ９１５の両方のサイズを大きく
することができる。
【０１７２】
又は、図１２（Ｂ−１）及び図１２（Ｂ−２）に示すように、図１１（Ａ）及び図１１（
Ｂ）に示す蓄電池９１３のうち、対向する一対の面のそれぞれに別のアンテナを設けても
よい。図１２（Ｂ−１）は、上記一対の面の一方側方向から見た外観図であり、図１２（
Ｂ−２）は、上記一対の面の他方側方向から見た外観図である。なお、図１１（Ａ）及び
図１１（Ｂ）に示す蓄電池と同じ部分については、図１２（Ａ）及び図１２（Ｂ）に示す
蓄電池の説明を適宜援用できる。
【０１７３】
図１２（Ｂ−１）に示すように、蓄電池９１３の一対の面の一方に層９１６を挟んでアン
テナ９１４及びアンテナ９１５が設けられ、図１２（Ｂ−２）に示すように、蓄電池９１
３の一対の面の他方に層９１７を挟んでアンテナ９１８が設けられる。アンテナ９１８は
、例えば、外部機器とのデータ通信を行うことができる機能を有する。アンテナ９１８に
は、例えばアンテナ９１４及びアンテナ９１５に適用可能な形状のアンテナを適用するこ
とができる。アンテナ９１８を介した蓄電池と他の機器との通信方式としては、ＮＦＣな
ど、蓄電池と他の機器との間で用いることができる応答方式などを適用することができる
。
【０１７４】
又は、図１３（Ａ）に示すように、図１１（Ａ）及び図１１（Ｂ）に示す蓄電池９１３に
表示装置９２０を設けてもよい。表示装置９２０は、端子９１９を介して端子９１１に電
気的に接続される。なお、表示装置９２０が設けられる部分にラベル９１０を設けなくて
もよい。なお、図１１（Ａ）及び図１１（Ｂ）に示す蓄電池と同じ部分については、図１
１（Ａ）及び図１１（Ｂ）に示す蓄電池の説明を適宜援用できる。
【０１７５】
表示装置９２０には、例えば充電中であるか否かを示す画像、蓄電量を示す画像などを表
示してもよい。表示装置９２０としては、例えば電子ペーパー、液晶表示装置、エレクト
ロルミネセンス（ＥＬともいう）表示装置などを用いることができる。例えば、電子ペー
パーを用いることにより表示装置９２０の消費電力を低減することができる。
【０１７６】
又は、図１３（Ｂ）に示すように、図１１（Ａ）及び図１１（Ｂ）に示す蓄電池９１３に
センサ９２１を設けてもよい。センサ９２１は、端子９２２を介して端子９１１に電気的
に接続される。なお、図１１（Ａ）及び図１１（Ｂ）に示す蓄電池と同じ部分については
、図１１（Ａ）及び図１１（Ｂ）に示す蓄電池の説明を適宜援用できる。
【０１７７】
センサ９２１としては、例えば、変位、位置、速度、加速度、角速度、回転数、距離、光
、液、磁気、温度、化学物質、音声、時間、硬度、電場、電流、電圧、電力、放射線、流
量、湿度、傾度、振動、におい、又は赤外線を測定することができる機能を有すればよい
。センサ９２１を設けることにより、例えば、蓄電池が置かれている環境を示すデータ（
温度など）を検出し、回路９１２内のメモリに記憶しておくこともできる。
【０１７８】
さらに、蓄電池９１３の構造例について図１４及び図１５を用いて説明する。
【０１７９】
図１４（Ａ）に示す蓄電池９１３は、筐体９３０の内部に端子９５１と端子９５２が設け
られた捲回体９５０を有する。捲回体９５０は、筐体９３０の内部で電解液に含浸される
。端子９５２は、筐体９３０に接し、端子９５１は、絶縁材などを用いることにより筐体
９３０に接していない。なお、図１４（Ａ）では、便宜のため、筐体９３０を分離して図
示しているが、実際は、捲回体９５０が筐体９３０に覆われ、端子９５１及び端子９５２
が筐体９３０の外に延在している。筐体９３０としては、金属材料又は樹脂材料を用いる
ことができる。
【０１８０】
なお、図１４（Ｂ）に示すように、図１４（Ａ）に示す筐体９３０を複数の材料によって
形成してもよい。例えば、図１４（Ｂ）に示す蓄電池９１３は、筐体９３０ａと筐体９３
０ｂが貼り合わされており、筐体９３０ａ及び筐体９３０ｂで囲まれた領域に捲回体９５
０が設けられている。
【０１８１】
筐体９３０ａとしては、有機樹脂など、絶縁材料を用いることができる。特に、アンテナ
が形成される面に有機樹脂などの材料を用いることにより、蓄電池９１３による電界の遮
蔽を抑制できる。なお、筐体９３０ａによる電界の遮蔽が小さければ、筐体９３０ａの内
部にアンテナ９１４やアンテナ９１５などのアンテナを設けてもよい。筐体９３０ｂとし
ては、例えば金属材料を用いることができる。
【０１８２】
さらに、捲回体９５０の構造について図１５に示す。捲回体９５０は、負極９３１と、正
極９３２と、セパレータ９３３と、を有する。捲回体９５０は、セパレータ９３３を挟ん
で負極９３１と、正極９３２が重なり合って積層され、該積層シートを捲回させた捲回体
である。なお、負極９３１と、正極９３２と、セパレータ９３３と、の積層を、さらに複
数重ねてもよい。
【０１８３】
負極９３１は、端子９５１及び端子９５２の一方を介して図１１に示す端子９１１に接続
される。正極９３２は、端子９５１及び端子９５２の他方を介して図１１に示す端子９１
１に接続される。
【０１８４】
≪電子機器の一例：車両に搭載する例≫
次に、蓄電池を車両に搭載する例について示す。蓄電池を車両に搭載すると、ハイブリッ
ド車（ＨＥＶ）、電気自動車（ＥＶ）、又はプラグインハイブリッド車（ＰＨＥＶ）等の
次世代クリーンエネルギー自動車を実現できる。
【０１８５】
図１６において、本発明の一態様を用いた車両を例示する。図１６（Ａ）に示す自動車８
１００は、走行のための動力源として電気モーターを用いる電気自動車である。または、
走行のための動力源として電気モーターとエンジンを適宜選択して用いることが可能なハ
イブリッド自動車である。本発明の一態様を用いることで、繰り返し充放電することがで
きる車両を実現することができる。また、自動車８１００は蓄電池を有する。蓄電池は電
気モーターを駆動するだけでなく、ヘッドライト８１０１やルームライト（図示せず）な
どの発光装置に電力を供給することができる。
【０１８６】
また、蓄電池は、自動車８１００が有するスピードメーター、タコメーターなどの表示装
置に電力を供給することができる。また、蓄電池は、自動車８１００が有するナビゲーシ
ョンゲーションシステムなどの半導体装置に電力を供給することができる。
【０１８７】
図１６（Ｂ）に示す自動車８２００は、自動車８２００が有する蓄電池にプラグイン方式
や非接触給電方式等により外部の充電設備から電力供給を受けて、充電することができる
。図１６（Ｂ）に、地上設置型の充電装置８０２１から自動車８２００に搭載された蓄電
池に、ケーブル８０２２を介して充電を行っている状態を示す。充電に際しては、充電方
法やコネクタの規格等は所定の方式で適宜行えばよい。充電装置８０２１は、商用施設に
設けられた充電ステーションでもよく、また家庭の電源であってもよい。例えば、プラグ
イン技術によって、外部からの電力供給により自動車８２００に搭載された蓄電池８０２
４を充電することができる。充電は、ＡＣＤＣコンバータ等の変換装置を介して、交流電
力を直流電力に変換して行うことができる。
【０１８８】
また、図示しないが、受電装置を車両に搭載し、地上の送電装置から電力を非接触で供給
して充電することもできる。この非接触給電方式の場合には、道路や外壁に送電装置を組
み込むことで、停車中に限らず走行中に充電を行うこともできる。また、この非接触給電
の方式を利用して、車両どうしで電力の送受信を行ってもよい。さらに、車両の外装部に
太陽電池を設け、停車時や走行時に蓄電池の充電を行ってもよい。このような非接触での
電力の供給には、電磁誘導方式や磁界共鳴方式を用いることができる。
【０１８９】
本発明の一態様によれば、蓄電池のサイクル特性が良好となり、信頼性を向上させること
ができる。また、本発明の一態様によれば、蓄電池の特性を向上することができ、よって
、蓄電池自体を小型軽量化することができる。蓄電池自体を小型軽量化できれば、車両の
軽量化に寄与するため、航続距離を向上させることができる。また、車両に搭載した蓄電
池を車両以外の電力供給源として用いることもできる。この場合、電力需要のピーク時に
商用電源を用いることを回避することができる。
【０１９０】
本実施の形態は、他の実施の形態と適宜組み合わせて実施することが可能である。
【０１９１】
（実施の形態４）
実施の形態１乃至３で説明した蓄電池を電池セルとして、これと組み合わせて用いること
ができる電池制御ユニット（Ｂａｔｔｅｒｙ  Ｍａｎａｇｅｍｅｎｔ  Ｕｎｉｔ：ＢＭＵ
）、及び該電池制御ユニットを構成する回路に適したトランジスタについて、図１７乃至
図２３を参照して説明する。本実施の形態では、特に直列に接続された電池セルを有する
蓄電池の電池制御ユニットについて説明する。
【０１９２】
直列に接続された複数の電池セルに対して充放電を繰り返していくと、各電池セル間にお
いて、充放電特性にばらつきが生じて、各電池セルの容量（出力電圧）が異なってくる。
直列に接続された複数の電池セルでは、全体の放電時の容量が、容量の小さい電池セルに
依存する。各電池セルの容量にばらつきがあると放電時の全体の容量が小さくなる。また
、容量が小さい電池セルを基準にして充電を行うと、充電不足となる虞がある。また、容
量の大きい電池セルを基準にして充電を行うと、過充電となる虞がある。
【０１９３】
そのため、直列に接続された電池セルを有する蓄電池の電池制御ユニットは、充電不足や
、過充電の原因となる、電池セル間の容量のばらつきを揃える機能を有する。電池セル間
の容量のばらつきを揃える回路構成には、抵抗方式、キャパシタ方式、あるいはインダク
タ方式等あるが、ここではオフ電流の小さいトランジスタを利用して容量のばらつきを揃
えることのできる回路構成を一例として挙げて説明する。
【０１９４】
オフ電流の小さいトランジスタとしては、チャネル形成領域に酸化物半導体を有するトラ
ンジスタ（ＯＳトランジスタ）が好ましい。オフ電流の小さいＯＳトランジスタを蓄電池
の電池制御ユニットの回路構成に用いることで、電池から漏洩する電荷量を減らし、時間
の経過による容量の低下を抑制することができる。
【０１９５】
チャネル形成領域に用いる酸化物半導体は、Ｉｎ−Ｍ−Ｚｎ酸化物（Ｍは、Ｇａ、Ｓｎ、
Ｙ、Ｚｒ、Ｌａ、Ｃｅ、またはＮｄ）を用いる。酸化物半導体膜を成膜するために用いる
ターゲットにおいて、金属元素の原子数比をＩｎ：Ｍ：Ｚｎ＝ｘ１：ｙ１：ｚ１とすると
、ｘ１／ｙ１は、１／３以上６以下、さらには１以上６以下であって、ｚ１／ｙ１は、１
／３以上６以下、さらには１以上６以下であることが好ましい。なお、ｚ１／ｙ１を１以
上６以下とすることで、酸化物半導体膜としてＣＡＡＣ−ＯＳ膜が形成されやすくなる。
【０１９６】
ここで、ＣＡＡＣ−ＯＳ膜について説明する。
【０１９７】
ＣＡＡＣ−ＯＳ膜は、ｃ軸配向した複数の結晶部を有する酸化物半導体膜の一つである。
【０１９８】
透過型電子顕微鏡（ＴＥＭ：Ｔｒａｎｓｍｉｓｓｉｏｎ  Ｅｌｅｃｔｒｏｎ  Ｍｉｃｒｏ
ｓｃｏｐｅ）によって、ＣＡＡＣ−ＯＳ膜の明視野像および回折パターンの複合解析像（
高分解能ＴＥＭ像ともいう。）を観察することで複数の結晶部を確認することができる。
一方、高分解能ＴＥＭ像によっても明確な結晶部同士の境界、即ち結晶粒界（グレインバ
ウンダリーともいう。）を確認することができない。そのため、ＣＡＡＣ−ＯＳ膜は、結
晶粒界に起因する電子移動度の低下が起こりにくいといえる。
【０１９９】
試料面と略平行な方向から、ＣＡＡＣ−ＯＳ膜の断面の高分解能ＴＥＭ像を観察すると、
結晶部において、金属原子が層状に配列していることを確認できる。金属原子の各層は、
ＣＡＡＣ−ＯＳ膜の膜を形成する面（被形成面ともいう。）または上面の凹凸を反映した
形状であり、ＣＡＡＣ−ＯＳ膜の被形成面または上面と平行に配列する。
【０２００】
一方、試料面と略垂直な方向から、ＣＡＡＣ−ＯＳ膜の平面の高分解能ＴＥＭ像を観察す
ると、結晶部において、金属原子が三角形状または六角形状に配列していることを確認で
きる。しかしながら、異なる結晶部間で、金属原子の配列に規則性は見られない。
【０２０１】
ＣＡＡＣ−ＯＳ膜に対し、Ｘ線回折（ＸＲＤ：Ｘ−Ｒａｙ  Ｄｉｆｆｒａｃｔｉｏｎ）装
置を用いて構造解析を行うと、例えばＩｎＧａＺｎＯ４の結晶を有するＣＡＡＣ−ＯＳ膜
のｏｕｔ−ｏｆ−ｐｌａｎｅ法による解析では、回折角（２θ）が３１°近傍にピークが
現れる場合がある。このピークは、ＩｎＧａＺｎＯ４の結晶の（００９）面に帰属される
ことから、ＣＡＡＣ−ＯＳ膜の結晶がｃ軸配向性を有し、ｃ軸が被形成面または上面に略
垂直な方向を向いていることが確認できる。
【０２０２】
なお、ＩｎＧａＺｎＯ４の結晶を有するＣＡＡＣ−ＯＳ膜のｏｕｔ−ｏｆ−ｐｌａｎｅ法
による解析では、２θが３１°近傍のピークの他に、２θが３６°近傍にもピークが現れ
る場合がある。２θが３６°近傍のピークは、ＣＡＡＣ−ＯＳ膜中の一部に、ｃ軸配向性
を有さない結晶が含まれることを示している。ＣＡＡＣ−ＯＳ膜は、２θが３１°近傍に
ピークを示し、２θが３６°近傍にピークを示さないことが好ましい。
【０２０３】
ＣＡＡＣ−ＯＳ膜は、不純物濃度の低い酸化物半導体膜である。不純物は、水素、炭素、
シリコン、遷移金属元素などの酸化物半導体膜の主成分以外の元素である。特に、シリコ
ンなどの、酸化物半導体膜を構成する金属元素よりも酸素との結合力の強い元素は、酸化
物半導体膜から酸素を奪うことで酸化物半導体膜の原子配列を乱し、結晶性を低下させる
要因となる。また、鉄やニッケルなどの重金属、アルゴン、二酸化炭素などは、原子半径
（または分子半径）が大きいため、酸化物半導体膜内部に含まれると、酸化物半導体膜の
原子配列を乱し、結晶性を低下させる要因となる。なお、酸化物半導体膜に含まれる不純
物は、キャリアトラップやキャリア発生源となる場合がある。
【０２０４】
また、ＣＡＡＣ−ＯＳ膜は、欠陥準位密度の低い酸化物半導体膜である。例えば、酸化物
半導体膜中の酸素欠損は、キャリアトラップとなることや、水素を捕獲することによって
キャリア発生源となることがある。
【０２０５】
不純物濃度が低く、欠陥準位密度が低い（酸素欠損の少ない）ことを、高純度真性または
実質的に高純度真性と呼ぶ。高純度真性または実質的に高純度真性である酸化物半導体膜
は、キャリア発生源が少ないため、キャリア密度を低くすることができる。したがって、
当該酸化物半導体膜を用いたトランジスタは、しきい値電圧がマイナスとなる電気特性（
ノーマリーオンともいう。）になることが少ない。また、高純度真性または実質的に高純
度真性である酸化物半導体膜は、キャリアトラップが少ない。そのため、当該酸化物半導
体膜を用いたトランジスタは、電気特性の変動が小さく、信頼性の高いトランジスタとな
る。なお、酸化物半導体膜のキャリアトラップに捕獲された電荷は、放出するまでに要す
る時間が長く、あたかも固定電荷のように振る舞うことがある。そのため、不純物濃度が
高く、欠陥準位密度が高い酸化物半導体膜を用いたトランジスタは、電気特性が不安定と
なる場合がある。
【０２０６】
また、ＣＡＡＣ−ＯＳ膜を用いたトランジスタは、可視光や紫外光の照射による電気特性
の変動が小さい。
【０２０７】
なお、ＯＳトランジスタは、チャネル形成領域にシリコンを有するトランジスタ（Ｓｉト
ランジスタ）に比べてバンドギャップが大きいため、高電圧を印加した際の絶縁破壊が生
じにくい。直列に電池セルを接続する場合、数１００Ｖの電圧が生じることになるが、蓄
電池においてこのような電池セルに適用される電池制御ユニットの回路構成には、前述の
ＯＳトランジスタで構成することが適している。
【０２０８】
図１７には、蓄電池のブロック図の一例を示す。図１７に示す蓄電池ＢＴ００は、端子対
ＢＴ０１と、端子対ＢＴ０２と、切り替え制御回路ＢＴ０３と、切り替え回路ＢＴ０４と
、切り替え回路ＢＴ０５と、変圧制御回路ＢＴ０６と、変圧回路ＢＴ０７と、直列に接続
された複数の電池セルＢＴ０９を含む電池部ＢＴ０８と、を有する。
【０２０９】
また、図１７の蓄電池ＢＴ００において、端子対ＢＴ０１と、端子対ＢＴ０２と、切り替
え制御回路ＢＴ０３と、切り替え回路ＢＴ０４と、切り替え回路ＢＴ０５と、変圧制御回
路ＢＴ０６と、変圧回路ＢＴ０７とにより構成される部分を、電池制御ユニットと呼ぶこ
とができる。
【０２１０】
切り替え制御回路ＢＴ０３は、切り替え回路ＢＴ０４及び切り替え回路ＢＴ０５の動作を
制御する。具体的には、切り替え制御回路ＢＴ０３は、電池セルＢＴ０９毎に測定された
電圧に基づいて、放電する電池セル（放電電池セル群）、及び充電する電池セル（充電電
池セル群）を決定する。
【０２１１】
さらに、切り替え制御回路ＢＴ０３は、当該決定された放電電池セル群及び充電電池セル
群に基づいて、制御信号Ｓ１及び制御信号Ｓ２を出力する。制御信号Ｓ１は、切り替え回
路ＢＴ０４へ出力される。この制御信号Ｓ１は、端子対ＢＴ０１と放電電池セル群とを接
続させるように切り替え回路ＢＴ０４を制御する信号である。また、制御信号Ｓ２は、切
り替え回路ＢＴ０５へ出力される。この制御信号Ｓ２は、端子対ＢＴ０２と充電電池セル
群とを接続させるように切り替え回路ＢＴ０５を制御する信号である。
【０２１２】
また、切り替え制御回路ＢＴ０３は、切り替え回路ＢＴ０４、切り替え回路ＢＴ０５、及
び変圧回路ＢＴ０７の構成を踏まえ、端子対ＢＴ０１と放電電池セル群との間、または端
子対ＢＴ０２と充電電池セル群との間で、同じ極性の端子同士が接続されるように、制御
信号Ｓ１及び制御信号Ｓ２を生成する。
【０２１３】
切り替え制御回路ＢＴ０３の動作の詳細について述べる。
【０２１４】
まず、切り替え制御回路ＢＴ０３は、複数の電池セルＢＴ０９毎の電圧を測定する。そし
て、切り替え制御回路ＢＴ０３は、例えば、所定の閾値以上の電圧の電池セルＢＴ０９を
高電圧の電池セル（高電圧セル）、所定の閾値未満の電圧の電池セルＢＴ０９を低電圧の
電池セル（低電圧セル）と判断する。
【０２１５】
なお、高電圧セル及び低電圧セルを判断する方法については、様々な方法を用いることが
できる。例えば、切り替え制御回路ＢＴ０３は、複数の電池セルＢＴ０９の中で、最も電
圧の高い、又は最も電圧の低い電池セルＢＴ０９の電圧を基準として、各電池セルＢＴ０
９が高電圧セルか低電圧セルかを判断してもよい。この場合、切り替え制御回路ＢＴ０３
は、各電池セルＢＴ０９の電圧が基準となる電圧に対して所定の割合以上か否かを判定す
る等して、各電池セルＢＴ０９が高電圧セルか低電圧セルかを判断することができる。そ
して、切り替え制御回路ＢＴ０３は、この判断結果に基づいて、放電電池セル群と充電電
池セル群とを決定する。
【０２１６】
なお、複数の電池セルＢＴ０９の中には、高電圧セルと低電圧セルが様々な状態で混在し
得る。例えば、切り替え制御回路ＢＴ０３は、高電圧セルと低電圧セルが混在する中で、
高電圧セルが最も多く連続して直列に接続された部分を放電電池セル群とする。また、切
り替え制御回路ＢＴ０３は、低電圧セルが最も多く連続して直列に接続された部分を充電
電池セル群とする。また、切り替え制御回路ＢＴ０３は、過充電又は過放電に近い電池セ
ルＢＴ０９を、放電電池セル群又は充電電池セル群として優先的に選択するようにしても
よい。
【０２１７】
ここで、本実施形態における切り替え制御回路ＢＴ０３の動作例を、図１８を用いて説明
する。図１８は、切り替え制御回路ＢＴ０３の動作例を説明するための図である。なお、
説明の便宜上、図１８では４個の電池セルＢＴ０９が直列に接続されている場合を例に説
明する。
【０２１８】
まず、図１８（Ａ）の例では、電池セルａ乃至ｄの電圧を電圧Ｖａ乃至電圧Ｖｄとすると
、Ｖａ＝Ｖｂ＝Ｖｃ＞Ｖｄの関係にある場合を示している。つまり、連続する３つの高電
圧セルａ乃至ｃと、１つの低電圧セルｄとが直列に接続されている。この場合、切り替え
制御回路ＢＴ０３は、連続する３つの高電圧セルａ乃至ｃを放電電池セル群として決定す
る。また、切り替え制御回路ＢＴ０３は、低電圧セルｄを充電電池セル群として決定する
。
【０２１９】
次に、図１８（Ｂ）の例では、Ｖｃ＞Ｖａ＝Ｖｂ＞＞Ｖｄの関係にある場合を示している
。つまり、連続する２つの低電圧セルａ、ｂと、１つの高電圧セルｃと、１つの過放電間
近の低電圧セルｄとが直列に接続されている。この場合、切り替え制御回路ＢＴ０３は、
高電圧セルｃを放電電池セル群として決定する。また、切り替え制御回路ＢＴ０３は、低
電圧セルｄが過放電間近であるため、連続する２つの低電圧セルａ及びｂではなく、低電
圧セルｄを充電電池セル群として優先的に決定する。
【０２２０】
最後に、図１８（Ｃ）の例では、Ｖａ＞Ｖｂ＝Ｖｃ＝Ｖｄの関係にある場合を示している
。つまり、１つの高電圧セルａと、連続する３つの低電圧セルｂ乃至ｄとが直列に接続さ
れている。この場合、切り替え制御回路ＢＴ０３は、高電圧セルａを放電電池セル群と決
定する。また、切り替え制御回路ＢＴ０３は、連続する３つの低電圧セルｂ乃至ｄを充電
電池セル群として決定する。
【０２２１】
切り替え制御回路ＢＴ０３は、上記図１８（Ａ）乃至（Ｃ）の例のように決定された結果
に基づいて、切り替え回路ＢＴ０４の接続先である放電電池セル群を示す情報が設定され
た制御信号Ｓ１と、切り替え回路ＢＴ０５の接続先である充電電池セル群を示す情報が設
定された制御信号Ｓ２を、切り替え回路ＢＴ０４及び切り替え回路ＢＴ０５に対してそれ
ぞれ出力する。
【０２２２】
以上が、切り替え制御回路ＢＴ０３の動作の詳細に関する説明である。
【０２２３】
切り替え回路ＢＴ０４は、切り替え制御回路ＢＴ０３から出力される制御信号Ｓ１に応じ
て、端子対ＢＴ０１の接続先を、切り替え制御回路ＢＴ０３により決定された放電電池セ
ル群に設定する。
【０２２４】
端子対ＢＴ０１は、対を成す端子Ａ１及びＡ２により構成される。切り替え回路ＢＴ０４
は、この端子Ａ１及びＡ２のうち、いずれか一方を放電電池セル群の中で最も上流（高電
位側）に位置する電池セルＢＴ０９の正極端子と接続し、他方を放電電池セル群の中で最
も下流（低電位側）に位置する電池セルＢＴ０９の負極端子と接続することにより、端子
対ＢＴ０１の接続先を設定する。なお、切り替え回路ＢＴ０４は、制御信号Ｓ１に設定さ
れた情報を用いて放電電池セル群の位置を認識することができる。
【０２２５】
切り替え回路ＢＴ０５は、切り替え制御回路ＢＴ０３から出力される制御信号Ｓ２に応じ
て、端子対ＢＴ０２の接続先を、切り替え制御回路ＢＴ０３により決定された充電電池セ
ル群に設定する。
【０２２６】
端子対ＢＴ０２は、対を成す端子Ｂ１及びＢ２により構成される。切り替え回路ＢＴ０５
は、この端子Ｂ１及びＢ２のうち、いずれか一方を充電電池セル群の中で最も上流（高電
位側）に位置する電池セルＢＴ０９の正極端子と接続し、他方を充電電池セル群の中で最
も下流（低電位側）に位置する電池セルＢＴ０９の負極端子と接続することにより、端子
対ＢＴ０２の接続先を設定する。なお、切り替え回路ＢＴ０５は、制御信号Ｓ２に設定さ
れた情報を用いて充電電池セル群の位置を認識することができる。
【０２２７】
切り替え回路ＢＴ０４及び切り替え回路ＢＴ０５の構成例を示す回路図を図１９及び図２
０に示す。
【０２２８】
図１９では、切り替え回路ＢＴ０４は、複数のトランジスタＢＴ１０と、バスＢＴ１１及
びＢＴ１２とを有する。バスＢＴ１１は、端子Ａ１と接続されている。また、バスＢＴ１
２は、端子Ａ２と接続されている。複数のトランジスタＢＴ１０のソース又はドレインの
一方は、それぞれ１つおきに交互に、バスＢＴ１１及びＢＴ１２と接続されている。また
、複数のトランジスタＢＴ１０のソース又はドレインの他方は、それぞれ隣接する２つの
電池セルＢＴ０９の間に接続されている。
【０２２９】
なお、複数のトランジスタＢＴ１０のうち、最上流に位置するトランジスタＢＴ１０のソ
ース又はドレインの他方は、電池部ＢＴ０８の最上流に位置する電池セルＢＴ０９の正極
端子と接続されている。また、複数のトランジスタＢＴ１０のうち、最下流に位置するト
ランジスタＢＴ１０のソース又はドレインの他方は、電池部ＢＴ０８の最下流に位置する
電池セルＢＴ０９の負極端子と接続されている。
【０２３０】
切り替え回路ＢＴ０４は、複数のトランジスタＢＴ１０のゲートに与える制御信号Ｓ１に
応じて、バスＢＴ１１に接続される複数のトランジスタＢＴ１０のうちの１つと、バスＢ
Ｔ１２に接続される複数のトランジスタＢＴ１０のうちの１つとをそれぞれ導通状態にす
ることにより、放電電池セル群と端子対ＢＴ０１とを接続する。これにより、放電電池セ
ル群の中で最も上流に位置する電池セルＢＴ０９の正極端子は、端子対の端子Ａ１又はＡ
２のいずれか一方と接続される。また、放電電池セル群の中で最も下流に位置する電池セ
ルＢＴ０９の負極端子は、端子対の端子Ａ１又はＡ２のいずれか他方、すなわち正極端子
と接続されていない方の端子に接続される。
【０２３１】
トランジスタＢＴ１０には、ＯＳトランジスタを用いることが好ましい。ＯＳトランジス
タはオフ電流が小さいため、放電電池セル群に属しない電池セルから漏洩する電荷量を減
らし、時間の経過による容量の低下を抑制することができる。またＯＳトランジスタは高
電圧を印加した際の絶縁破壊が生じにくい。そのため、放電電池セル群の出力電圧が大き
くても、非導通状態とするトランジスタＢＴ１０が接続された電池セルＢＴ０９と端子対
ＢＴ０１とを絶縁状態とすることができる。
【０２３２】
また、図１９では、切り替え回路ＢＴ０５は、複数のトランジスタＢＴ１３と、電流制御
スイッチＢＴ１４と、バスＢＴ１５と、バスＢＴ１６とを有する。バスＢＴ１５及びＢＴ
１６は、複数のトランジスタＢＴ１３と、電流制御スイッチＢＴ１４との間に配置される
。複数のトランジスタＢＴ１３のソース又はドレインの一方は、それぞれ１つおきに交互
に、バスＢＴ１５及びＢＴ１６と接続されている。また、複数のトランジスタＢＴ１３の
ソース又はドレインの他方は、それぞれ隣接する２つの電池セルＢＴ０９の間に接続され
ている。
【０２３３】
なお、複数のトランジスタＢＴ１３のうち、最上流に位置するトランジスタＢＴ１３のソ
ース又はドレインの他方は、電池部ＢＴ０８の最上流に位置する電池セルＢＴ０９の正極
端子と接続されている。また、複数のトランジスタＢＴ１３のうち、最下流に位置するト
ランジスタＢＴ１３のソース又はドレインの他方は、電池部ＢＴ０８の最下流に位置する
電池セルＢＴ０９の負極端子と接続されている。
【０２３４】
トランジスタＢＴ１３には、トランジスタＢＴ１０と同様に、ＯＳトランジスタを用いる
ことが好ましい。ＯＳトランジスタはオフ電流が小さいため、充電電池セル群に属しない
電池セルから漏洩する電荷量を減らし、時間の経過による容量の低下を抑制することがで
きる。またＯＳトランジスタは高電圧を印加した際の絶縁破壊が生じにくい。そのため、
充電電池セル群を充電するための電圧が大きくても、非導通状態とするトランジスタＢＴ
１３が接続された電池セルＢＴ０９と端子対ＢＴ０２とを絶縁状態とすることができる。
【０２３５】
電流制御スイッチＢＴ１４は、スイッチ対ＢＴ１７とスイッチ対ＢＴ１８とを有する。ス
イッチ対ＢＴ１７の一端は、端子Ｂ１に接続されている。また、スイッチ対ＢＴ１７の他
端は２つのスイッチで分岐しており、一方のスイッチはバスＢＴ１５に接続され、他方の
スイッチはバスＢＴ１６に接続されている。スイッチ対ＢＴ１８の一端は、端子Ｂ２に接
続されている。また、スイッチ対ＢＴ１８の他端は２つのスイッチで分岐しており、一方
のスイッチはバスＢＴ１５に接続され、他方のスイッチはバスＢＴ１６に接続されている
。
【０２３６】
スイッチ対ＢＴ１７及びスイッチ対ＢＴ１８が有するスイッチは、トランジスタＢＴ１０
及びトランジスタＢＴ１３と同様に、ＯＳトランジスタを用いることが好ましい。
【０２３７】
切り替え回路ＢＴ０５は、制御信号Ｓ２に応じて、トランジスタＢＴ１３、及び電流制御
スイッチＢＴ１４のオン／オフ状態の組み合わせを制御することにより、充電電池セル群
と端子対ＢＴ０２とを接続する。
【０２３８】
切り替え回路ＢＴ０５は、一例として、以下のようにして充電電池セル群と端子対ＢＴ０
２とを接続する。
【０２３９】
切り替え回路ＢＴ０５は、複数のトランジスタＢＴ１３のゲートに与える制御信号Ｓ２に
応じて、充電電池セル群の中で最も上流に位置する電池セルＢＴ０９の正極端子と接続さ
れているトランジスタＢＴ１３を導通状態にする。また、切り替え回路ＢＴ０５は、複数
のトランジスタＢＴ１３のゲートに与える制御信号Ｓ２に応じて、充電電池セル群の中で
最も下流に位置する電池セルＢＴ０９の負極端子に接続されているトランジスタＢＴ１３
を導通状態にする。
【０２４０】
端子対ＢＴ０２に印加される電圧の極性は、端子対ＢＴ０１と接続される放電電池セル群
、及び変圧回路ＢＴ０７の構成によって変わり得る。また、充電電池セル群を充電する方
向に電流を流すためには、端子対ＢＴ０２と充電電池セル群との間で、同じ極性の端子同
士を接続する必要がある。そこで、電流制御スイッチＢＴ１４は、制御信号Ｓ２により、
端子対ＢＴ０２に印加される電圧の極性に応じてスイッチ対ＢＴ１７及びスイッチ対ＢＴ
１８の接続先をそれぞれ切り替えるように制御される。
【０２４１】
一例として、端子Ｂ１が正極、端子Ｂ２が負極となるような電圧が端子対ＢＴ０２に印加
されている状態を挙げて説明する。この時、電池部ＢＴ０８の最下流の電池セルＢＴ０９
が充電電池セル群である場合、スイッチ対ＢＴ１７は、制御信号Ｓ２により、当該電池セ
ルＢＴ０９の正極端子と接続されるように制御される。すなわち、スイッチ対ＢＴ１７の
バスＢＴ１６に接続されるスイッチがオン状態となり、スイッチ対ＢＴ１７のバスＢＴ１
５に接続されるスイッチがオフ状態となる。一方、スイッチ対ＢＴ１８は、制御信号Ｓ２
により、当該電池セルＢＴ０９の負極端子と接続されるように制御される。すなわち、ス
イッチ対ＢＴ１８のバスＢＴ１５に接続されるスイッチがオン状態となり、スイッチ対Ｂ
Ｔ１８のバスＢＴ１６に接続されるスイッチがオフ状態となる。このようにして、端子対
ＢＴ０２と充電電池セル群との間で、同じ極性をもつ端子同士が接続される。そして、端
子対ＢＴ０２から流れる電流の方向が、充電電池セル群を充電する方向となるように制御
される。
【０２４２】
また、電流制御スイッチＢＴ１４は、切り替え回路ＢＴ０５ではなく、切り替え回路ＢＴ
０４に含まれていてもよい。この場合、電流制御スイッチＢＴ１４、制御信号Ｓ１に応じ
て、端子対ＢＴ０１に印加される電圧の極性を制御することにより、端子対ＢＴ０２に印
加される電圧の極性を制御する。そして、電流制御スイッチＢＴ１４は、端子対ＢＴ０２
から充電電池セル群に流れる電流の向きを制御する。
【０２４３】
図２０は、図１９とは異なる、切り替え回路ＢＴ０４及び切り替え回路ＢＴ０５の構成例
を示す回路図である。
【０２４４】
図２０では、切り替え回路ＢＴ０４は、複数のトランジスタ対ＢＴ２１と、バスＢＴ２４
及びバスＢＴ２５とを有する。バスＢＴ２４は、端子Ａ１と接続されている。また、バス
ＢＴ２５は、端子Ａ２と接続されている。複数のトランジスタ対ＢＴ２１の一端は、それ
ぞれトランジスタＢＴ２２とトランジスタＢＴ２３とにより分岐している。トランジスタ
ＢＴ２２のソース又はドレインの一方は、バスＢＴ２４と接続されている。また、トラン
ジスタＢＴ２３のソース又はドレインの一方は、バスＢＴ２５と接続されている。また、
複数のトランジスタ対の他端は、それぞれ隣接する２つの電池セルＢＴ０９の間に接続さ
れている。なお、複数のトランジスタ対ＢＴ２１のうち、最上流に位置するトランジスタ
対ＢＴ２１の他端は、電池部ＢＴ０８の最上流に位置する電池セルＢＴ０９の正極端子と
接続されている。また、複数のトランジスタ対ＢＴ２１のうち、最下流に位置するトラン
ジスタ対ＢＴ２１の他端は、電池部ＢＴ０８の最下流に位置する電池セルＢＴ０９の負極
端子と接続されている。
【０２４５】
切り替え回路ＢＴ０４は、制御信号Ｓ１に応じてトランジスタＢＴ２２及びトランジスタ
ＢＴ２３の導通／非導通状態を切り換えることにより、当該トランジスタ対ＢＴ２１の接
続先を、端子Ａ１又は端子Ａ２のいずれか一方に切り替える。詳細には、トランジスタＢ
Ｔ２２が導通状態であれば、トランジスタＢＴ２３は非導通状態となり、その接続先は端
子Ａ１になる。一方、トランジスタＢＴ２３が導通状態であれば、トランジスタＢＴ２２
は非導通状態となり、その接続先は端子Ａ２になる。トランジスタＢＴ２２及びトランジ
スタＢＴ２３のどちらが導通状態になるかは、制御信号Ｓ１によって決定される。
【０２４６】
端子対ＢＴ０１と放電電池セル群とを接続するには、２つのトランジスタ対ＢＴ２１が用
いられる。詳細には、制御信号Ｓ１に基づいて、２つのトランジスタ対ＢＴ２１の接続先
がそれぞれ決定されることにより、放電電池セル群と端子対ＢＴ０１とが接続される。２
つのトランジスタ対ＢＴ２１のそれぞれの接続先は、一方が端子Ａ１となり、他方が端子
Ａ２となるように、制御信号Ｓ１によって制御される。
【０２４７】
切り替え回路ＢＴ０５は、複数のトランジスタ対ＢＴ３１と、バスＢＴ３４及びバスＢＴ
３５とを有する。バスＢＴ３４は、端子Ｂ１と接続されている。また、バスＢＴ３５は、
端子Ｂ２と接続されている。複数のトランジスタ対ＢＴ３１の一端は、それぞれトランジ
スタＢＴ３２とトランジスタＢＴ３３とにより分岐している。トランジスタＢＴ３２によ
り分岐する一端は、バスＢＴ３４と接続されている。また、トランジスタＢＴ３３により
分岐する一端は、バスＢＴ３５と接続されている。また、複数のトランジスタ対ＢＴ３１
の他端は、それぞれ隣接する２つの電池セルＢＴ０９の間に接続されている。なお、複数
のトランジスタ対ＢＴ３１のうち、最上流に位置するトランジスタ対ＢＴ３１の他端は、
電池部ＢＴ０８の最上流に位置する電池セルＢＴ０９の正極端子と接続されている。また
、複数のトランジスタ対ＢＴ３１のうち、最下流に位置するトランジスタ対ＢＴ３１の他
端は、電池部ＢＴ０８の最下流に位置する電池セルＢＴ０９の負極端子と接続されている
。
【０２４８】
切り替え回路ＢＴ０５は、制御信号Ｓ２に応じてトランジスタＢＴ３２及びトランジスタ
ＢＴ３３の導通／非導通状態を切り換えることにより、当該トランジスタ対ＢＴ３１の接
続先を、端子Ｂ１又は端子Ｂ２のいずれか一方に切り替える。詳細には、トランジスタＢ
Ｔ３２が導通状態であれば、トランジスタＢＴ３３は非導通状態となり、その接続先は端
子Ｂ１になる。逆に、トランジスタＢＴ３３が導通状態であれば、トランジスタＢＴ３２
は非導通状態となり、その接続先は端子Ｂ２になる。トランジスタＢＴ３２及びトランジ
スタＢＴ３３のどちらが導通状態となるかは、制御信号Ｓ２によって決定される。
【０２４９】
端子対ＢＴ０２と充電電池セル群とを接続するには、２つのトランジスタ対ＢＴ３１が用
いられる。詳細には、制御信号Ｓ２に基づいて、２つのトランジスタ対ＢＴ３１の接続先
がそれぞれ決定されることにより、充電電池セル群と端子対ＢＴ０２とが接続される。２
つのトランジスタ対ＢＴ３１のそれぞれの接続先は、一方が端子Ｂ１となり、他方が端子
Ｂ２となるように、制御信号Ｓ２によって制御される。
【０２５０】
また、２つのトランジスタ対ＢＴ３１のそれぞれの接続先は、端子対ＢＴ０２に印加され
る電圧の極性によって決定される。具体的には、端子Ｂ１が正極、端子Ｂ２が負極となる
ような電圧が端子対ＢＴ０２に印加されている場合、上流側のトランジスタ対ＢＴ３１は
、トランジスタＢＴ３２が導通状態となり、トランジスタＢＴ３３が非導通状態となるよ
うに、制御信号Ｓ２によって制御される。一方、下流側のトランジスタ対ＢＴ３１は、ト
ランジスタＢＴ３３が導通状態、トランジスタＢＴ３２が非導通状態となるように、制御
信号Ｓ２によって制御される。また、端子Ｂ１が負極、端子Ｂ２が正極となるような電圧
が端子対ＢＴ０２に印加されている場合は、上流側のトランジスタ対ＢＴ３１は、トラン
ジスタＢＴ３３が導通状態となり、トランジスタＢＴ３２が非導通状態となるように、制
御信号Ｓ２によって制御される。一方、下流側のトランジスタ対ＢＴ３１は、トランジス
タＢＴ３２が導通状態、トランジスタＢＴ３３が非導通状態となるように、制御信号Ｓ２
によって制御される。このようにして、端子対ＢＴ０２と充電電池セル群との間で、同じ
極性をもつ端子同士が接続される。そして、端子対ＢＴ０２から流れる電流の方向が、充
電電池セル群を充電する方向となるように制御される。
【０２５１】
変圧制御回路ＢＴ０６は、変圧回路ＢＴ０７の動作を制御する。変圧制御回路ＢＴ０６は
、放電電池セル群に含まれる電池セルＢＴ０９の個数と、充電電池セル群に含まれる電池
セルＢＴ０９の個数とに基づいて、変圧回路ＢＴ０７の動作を制御する変圧信号Ｓ３を生
成し、変圧回路ＢＴ０７へ出力する。
【０２５２】
なお、放電電池セル群に含まれる電池セルＢＴ０９の個数が充電電池セル群に含まれる電
池セルＢＴ０９の個数よりも多い場合は、充電電池セル群に対して過剰に大きな充電電圧
が印加されることを防止する必要がある。そのため、変圧制御回路ＢＴ０６は、充電電池
セル群を充電できる範囲で放電電圧（Ｖｄｉｓ）を降圧させるように変圧回路ＢＴ０７を
制御する変圧信号Ｓ３を出力する。
【０２５３】
また、放電電池セル群に含まれる電池セルＢＴ０９の個数が、充電電池セル群に含まれる
電池セルＢＴ０９の個数以下である場合は、充電電池セル群を充電するために必要な充電
電圧を確保する必要がある。そのため、変圧制御回路ＢＴ０６は、充電電池セル群に過剰
な充電電圧が印加されない範囲で放電電圧（Ｖｄｉｓ）を昇圧させるように変圧回路ＢＴ
０７を制御する変圧信号Ｓ３を出力する。
【０２５４】
なお、過剰な充電電圧とする電圧値は、電池部ＢＴ０８で使用される電池セルＢＴ０９の
製品仕様等に鑑みて決定することができる。また、変圧回路ＢＴ０７により昇圧及び降圧
された電圧は、充電電圧（Ｖｃｈａ）として端子対ＢＴ０２に印加される。
【０２５５】
ここで、本実施形態における変圧制御回路ＢＴ０６の動作例を、図２１（Ａ）乃至（Ｃ）
を用いて説明する。図２１（Ａ）乃至（Ｃ）は、図１８（Ａ）乃至（Ｃ）で説明した放電
電池セル群及び充電電池セル群に対応させた、変圧制御回路ＢＴ０６の動作例を説明する
ための概念図である。なお図２１（Ａ）乃至（Ｃ）は、電池制御ユニットＢＴ４１を図示
している。電池制御ユニットＢＴ４１は、上述したように、端子対ＢＴ０１と、端子対Ｂ
Ｔ０２と、切り替え制御回路ＢＴ０３と、切り替え回路ＢＴ０４と、切り替え回路ＢＴ０
５と、変圧制御回路ＢＴ０６と、変圧回路ＢＴ０７とにより構成される。
【０２５６】
図２１（Ａ）に示される例では、図１８（Ａ）で説明したように、連続する３つの高電圧
セルａ乃至ｃと、１つの低電圧セルｄとが直列に接続されている。この場合、図１８（Ａ
）を用いて説明したように、切り替え制御回路ＢＴ０３は、高電圧セルａ乃至ｃを放電電
池セル群として決定し、低電圧セルｄを充電電池セル群として決定する。そして、変圧制
御回路ＢＴ０６は、放電電池セル群に含まれる電池セルＢＴ０９の個数を基準とした時の
、充電電池セル群に含まれる電池セルＢＴ０９の個数の比に基づいて、放電電圧（Ｖｄｉ
ｓ）から充電電圧（Ｖｃｈａ）への変換比Ｎを算出する。
【０２５７】
なお放電電池セル群に含まれる電池セルＢＴ０９の個数が、充電電池セル群に含まれる電
池セルＢＴ０９の個数よりも多い場合に、放電電圧を変圧せずに端子対ＢＴ０２にそのま
ま印加すると、充電電池セル群に含まれる電池セルＢＴ０９に、端子対ＢＴ０２を介して
過剰な電圧が印加される可能性がある。そのため、図２１（Ａ）に示されるような場合で
は、端子対ＢＴ０２に印加される充電電圧（Ｖｃｈａ）を、放電電圧よりも降圧させる必
要がある。さらに、充電電池セル群を充電するためには、充電電圧は、充電電池セル群に
含まれる電池セルＢＴ０９の合計電圧より大きい必要がある。そのため、変圧制御回路Ｂ
Ｔ０６は、放電電池セル群に含まれる電池セルＢＴ０９の個数を基準とした時の、充電電
池セル群に含まれる電池セルＢＴ０９の個数の比よりも、変換比Ｎを大きく設定する。
【０２５８】
変圧制御回路ＢＴ０６は、放電電池セル群に含まれる電池セルＢＴ０９の個数を基準とし
た時の、充電電池セル群に含まれる電池セルＢＴ０９の個数の比に対して、変換比Ｎを１
乃至１０％程度大きくするのが好ましい。この時、充電電圧は充電電池セル群の電圧より
も大きくなるが、実際には充電電圧は充電電池セル群の電圧と等しくなる。ただし、変圧
制御回路ＢＴ０６は変換比Ｎに従い充電電池セル群の電圧を充電電圧と等しくするために
、充電電池セル群を充電する電流を流すこととなる。この電流は変圧制御回路ＢＴ０６に
設定された値となる。
【０２５９】
図２１（Ａ）に示される例では、放電電池セル群に含まれる電池セルＢＴ０９の個数が３
個で、充電電池セル群に含まれる電池セルＢＴ０９の数が１個であるため、変圧制御回路
ＢＴ０６は、１／３より少し大きい値を変換比Ｎとして算出する。そして、変圧制御回路
ＢＴ０６は、放電電圧を当該変換比Ｎに応じて降圧し、充電電圧に変換する変圧信号Ｓ３
を変圧回路ＢＴ０７に出力する。そして、変圧回路ＢＴ０７は、変圧信号Ｓ３に応じて変
圧された充電電圧を、端子対ＢＴ０２に印加する。そして、端子対ＢＴ０２に印加される
充電電圧によって、充電電池セル群に含まれる電池セルＢＴ０９が充電される。
【０２６０】
また、図２１（Ｂ）や図２１（Ｃ）に示される例でも、図２１（Ａ）と同様に、変換比Ｎ
が算出される。図２１（Ｂ）や図２１（Ｃ）に示される例では、放電電池セル群に含まれ
る電池セルＢＴ０９の個数が、充電電池セル群に含まれる電池セルＢＴ０９の個数以下で
あるため、変換比Ｎは１以上となる。よって、この場合は、変圧制御回路ＢＴ０６は、放
電電圧を昇圧して充電電圧に変換する変圧信号Ｓ３を出力する。
【０２６１】
変圧回路ＢＴ０７は、変圧信号Ｓ３に基づいて、端子対ＢＴ０１に印加される放電電圧を
充電電圧に変換する。そして、変圧回路ＢＴ０７は、変換された充電電圧を端子対ＢＴ０
２に印加する。ここで、変圧回路ＢＴ０７は、端子対ＢＴ０１と端子対ＢＴ０２との間を
電気的に絶縁している。これにより、変圧回路ＢＴ０７は、放電電池セル群の中で最も下
流に位置する電池セルＢＴ０９の負極端子の絶対電圧と、充電電池セル群の中で最も下流
に位置する電池セルＢＴ０９の負極端子の絶対電圧との差異による短絡を防止する。さら
に、変圧回路ＢＴ０７は、上述したように、変圧信号Ｓ３に基づいて放電電池セル群の合
計電圧である放電電圧を充電電圧に変換する。
【０２６２】
また、変圧回路ＢＴ０７は、例えば絶縁型ＤＣ（Ｄｉｒｅｃｔ  Ｃｕｒｒｅｎｔ）−ＤＣ
コンバータ等を用いることができる。この場合、変圧制御回路ＢＴ０６は、絶縁型ＤＣ−
ＤＣコンバータのオン／オフ比（デューティー比）を制御する信号を変圧信号Ｓ３として
出力することにより、変圧回路ＢＴ０７で変換される充電電圧を制御する。
【０２６３】
なお、絶縁型ＤＣ−ＤＣコンバータには、フライバック方式、フォワード方式、ＲＣＣ（
Ｒｉｎｇｉｎｇ  Ｃｈｏｋｅ  Ｃｏｎｖｅｒｔｅｒ）方式、プッシュプル方式、ハーフブ
リッジ方式、及びフルブリッジ方式等が存在するが、目的とする出力電圧の大きさに応じ
て適切な方式が選択される。
【０２６４】
絶縁型ＤＣ−ＤＣコンバータを用いた変圧回路ＢＴ０７の構成を図２２に示す。絶縁型Ｄ
Ｃ−ＤＣコンバータＢＴ５１は、スイッチ部ＢＴ５２とトランス部ＢＴ５３とを有する。
スイッチ部ＢＴ５２は、絶縁型ＤＣ−ＤＣコンバータの動作のオン／オフを切り替えるス
イッチであり、例えば、ＭＯＳＦＥＴ（Ｍｅｔａｌ−Ｏｘｉｄｅ−Ｓｅｍｉｃｏｎｄｕｃ
ｔｏｒ  Ｆｉｅｌｄ−Ｅｆｆｅｃｔ  Ｔｒａｎｓｉｓｔｏｒ）やバイポーラ型トランジス
タ等を用いて実現される。また、スイッチ部ＢＴ５２は、変圧制御回路ＢＴ０６から出力
される、オン／オフ比を制御する変圧信号Ｓ３に基づいて、絶縁型ＤＣ−ＤＣコンバータ
ＢＴ５１のオン状態とオフ状態を周期的に切り替える。なお、スイッチ部ＢＴ５２は、使
用される絶縁型ＤＣ−ＤＣコンバータの方式によって様々な構成を取り得る。トランス部
ＢＴ５３は、端子対ＢＴ０１から印加される放電電圧を充電電圧に変換する。詳細には、
トランス部ＢＴ５３は、スイッチ部ＢＴ５２のオン／オフ状態と連動して動作し、そのオ
ン／オフ比に応じて放電電圧を充電電圧に変換する。この充電電圧は、スイッチ部ＢＴ５
２のスイッチング周期において、オン状態となる時間が長いほど大きくなる。一方、充電
電圧は、スイッチ部ＢＴ５２のスイッチング周期において、オン状態となる時間が短いほ
ど小さくなる。なお、絶縁型ＤＣ−ＤＣコンバータを用いる場合、トランス部ＢＴ５３の
内部で、端子対ＢＴ０１と端子対ＢＴ０２は互いに絶縁することができる。
【０２６５】
本実施形態における蓄電池ＢＴ００の処理の流れを、図２３を用いて説明する。図２３は
、蓄電池ＢＴ００の処理の流れを示すフローチャートである。
【０２６６】
まず、蓄電池ＢＴ００は、複数の電池セルＢＴ０９毎に測定された電圧を取得する（ステ
ップＳ００１）。そして、蓄電池ＢＴ００は、複数の電池セルＢＴ０９の電圧を揃える動
作の開始条件を満たすか否かを判定する（ステップＳ００２）。この開始条件は、例えば
、複数の電池セルＢＴ０９毎に測定された電圧の最大値と最小値との差分が、所定の閾値
以上か否か等とすることができる。この開始条件を満たさない場合は（ステップＳ００２
：ＮＯ）、各電池セルＢＴ０９の電圧のバランスが取れている状態であるため、蓄電池Ｂ
Ｔ００は、以降の処理を実行しない。一方、開始条件を満たす場合は（ステップＳ００２
：ＹＥＳ）、蓄電池ＢＴ００は、各電池セルＢＴ０９の電圧を揃える処理を実行する。こ
の処理において、蓄電池ＢＴ００は、測定されたセル毎の電圧に基づいて、各電池セルＢ
Ｔ０９が高電圧セルか低電圧セルかを判定する（ステップＳ００３）。そして、蓄電池Ｂ
Ｔ００は、判定結果に基づいて、放電電池セル群及び充電電池セル群を決定する（ステッ
プＳ００４）。さらに、蓄電池ＢＴ００は、決定された放電電池セル群を端子対ＢＴ０１
の接続先に設定する制御信号Ｓ１、及び決定された充電電池セル群を端子対ＢＴ０２の接
続先に設定する制御信号Ｓ２を生成する（ステップＳ００５）。蓄電池ＢＴ００は、生成
された制御信号Ｓ１及び制御信号Ｓ２を、切り替え回路ＢＴ０４及び切り替え回路ＢＴ０
５へそれぞれ出力する。そして、切り替え回路ＢＴ０４により、端子対ＢＴ０１と放電電
池セル群とが接続され、切り替え回路ＢＴ０５により、端子対ＢＴ０２と放電電池セル群
とが接続される（ステップＳ００６）。また、蓄電池ＢＴ００は、放電電池セル群に含ま
れる電池セルＢＴ０９の個数と、充電電池セル群に含まれる電池セルＢＴ０９の個数とに
基づいて、変圧信号Ｓ３を生成する（ステップＳ００７）。そして、蓄電池ＢＴ００は、
変圧信号Ｓ３に基づいて、端子対ＢＴ０１に印加される放電電圧を充電電圧に変換し、端
子対ＢＴ０２に印加する（ステップＳ００８）。これにより、放電電池セル群の電荷が充
電電池セル群へ移動される。
【０２６７】
また、図２３のフローチャートでは、複数のステップが順番に記載されているが、各ステ
ップの実行順序は、その記載の順番に制限されない。
【０２６８】
以上、本実施形態によれば、放電電池セル群から充電電池セル群へ電荷を移動させる際、
キャパシタ方式のように、放電電池セル群からの電荷を一旦蓄積し、その後充電電池セル
群へ放出させるような構成を必要としない。これにより、単位時間あたりの電荷移動効率
を向上させることができる。また、切り替え回路ＢＴ０４及び切り替え回路ＢＴ０５によ
り、放電電池セル群及び充電電池セル群のうち、変圧回路と接続する電池セルを、個別に
切り替えられる。
【０２６９】
さらに、変圧回路ＢＴ０７により、放電電池セル群に含まれる電池セルＢＴ０９の個数と
充電電池セル群に含まれる電池セルＢＴ０９の個数とに基づいて、端子対ＢＴ０１に印加
される放電電圧が充電電圧に変換され、端子対ＢＴ０２に印加される。これにより、放電
側及び充電側の電池セルＢＴ０９がどのように選択されても、問題なく電荷の移動を実現
できる。
【０２７０】
さらに、トランジスタＢＴ１０及びトランジスタＢＴ１３にＯＳトランジスタを用いるこ
とにより、充電電池セル群及び放電電池セル群に属しない電池セルＢＴ０９から漏洩する
電荷量を減らすことができる。これにより、充電及び放電に寄与しない電池セルＢＴ０９
の容量の低下を抑制することができる。また、ＯＳトランジスタは、Ｓｉトランジスタに
比べて熱に対する特性の変動が小さい。これにより、電池セルＢＴ０９の温度が上昇して
も、制御信号Ｓ１、Ｓ２に応じた導通状態と非導通状態の切り替えといった、正常な動作
をさせることができる。
【０２７１】
なお、本実施の形態は、他の実施の形態と適宜組み合わせて実施することが可能である。
【符号の説明】
【０２７２】
１００    正極集電体
１０１    正極活物質層
１０２    負極集電体
１０３    負極活物質層
１０４    セパレータ
１０５    電解液
１１０    リチウムイオン蓄電池
２０６    配線
２０７    外装体
２０８    回路
３００    蓄電池
３０１    正極缶
３０２    負極缶
３０３    ガスケット
３０４    正極
３０５    正極集電体
３０６    正極活物質層
３０７    負極
３０８    負極集電体
３０９    負極活物質層
３１０    セパレータ
４００    蓄電池
４０２    正極
４０４    負極
５００    蓄電池
５０１    正極集電体
５０２    正極活物質層
５０３    正極
５０４    負極集電体
５０５    負極活物質層
５０６    負極
５０７    セパレータ
５０８    電解液
５０９    外装体
５１０    正極タブ電極
５１１    負極タブ電極
５１５    タブ電極
５１６    タブ電極
６００    蓄電池
６０１    正極キャップ
６０２    電池缶
６０３    正極端子
６０４    正極
６０５    セパレータ
６０６    負極
６０７    負極端子
６０８    絶縁板
６０９    絶縁板
６１０    ガスケット
６１１    ＰＴＣ素子
６１２    安全弁機構
９００    回路基板
９１０    ラベル
９１１    端子
９１２    回路
９１３    蓄電池
９１４    アンテナ
９１５    アンテナ
９１６    層
９１７    層
９１８    アンテナ
９１９    端子
９２０    表示装置
９２１    センサ
９２２    端子
９３０    筐体
９３０ａ    筐体
９３０ｂ    筐体
９３１    負極
９３２    正極
９３３    セパレータ
９５１    端子
９５２    端子
１７００    曲面
１７０１    平面
１７０２    曲線
１７０３    曲率半径
１７０４    曲率中心
１８００    曲率中心
１８０１    フィルム
１８０２    曲率半径
１８０３    フィルム
１８０４    曲率半径
１８０５    電極・電解液など
５００６    配線
５００７    外装体
５００８    回路
５００９    排他的論理和回路
５０１０    Ｄラッチ
５０１１    電池セル
７１００    携帯表示装置
７１０１    筐体
７１０２    表示部
７１０３    操作ボタン
７１０４    蓄電池
７４００    携帯電話機
７４０１    筐体
７４０２    表示部
７４０３    操作ボタン
７４０４    外部接続ポート
７４０５    スピーカ
７４０６    マイク
７４０７    蓄電池
８０２１    充電装置
８０２２    ケーブル
８０２４    蓄電池
８１００    自動車
８１０１    ヘッドライト
Ｓ１    制御信号
Ｓ２    制御信号
Ｓ３    変圧信号
ＢＴ００    蓄電池
ＢＴ０１    端子対
ＢＴ０２    端子対
ＢＴ０３    切り替え制御回路
ＢＴ０４    切り替え回路
ＢＴ０５    切り替え回路
ＢＴ０６    変圧制御回路
ＢＴ０７    変圧回路
ＢＴ０８    電池部
ＢＴ０９    電池セル
ＢＴ１０    トランジスタ
ＢＴ１１    バス
ＢＴ１２    バス
ＢＴ１３    トランジスタ
ＢＴ１４    電流制御スイッチ
ＢＴ１５    バス
ＢＴ１６    バス
ＢＴ１７    スイッチ対
ＢＴ１８    スイッチ対
ＢＴ２１    トランジスタ対
ＢＴ２２    トランジスタ
ＢＴ２３    トランジスタ
ＢＴ２４    バス
ＢＴ２５    バス
ＢＴ３１    トランジスタ対
ＢＴ３２    トランジスタ
ＢＴ３３    トランジスタ
ＢＴ３４    バス
ＢＴ３５    バス
ＢＴ４１    電池制御ユニット
ＢＴ５１    絶縁型ＤＣ−ＤＣコンバータ
ＢＴ５２    スイッチ部
ＢＴ５３    トランス部
Ｓ００１    ステップ
Ｓ００２    ステップ
Ｓ００３    ステップ
Ｓ００４    ステップ
Ｓ００５    ステップ
Ｓ００６    ステップ
Ｓ００７    ステップ
Ｓ００８    ステップ
【図１】
2020024946.tif 000003
【図２】
2020024946.tif 000004
【図３】
2020024946.tif 000005
【図４】
2020024946.tif 000006
【図５】
2020024946.tif 000007
【図６】
2020024946.tif 000008
【図７】
2020024946.tif 000009
【図８】
2020024946.tif 000010
【図９】
2020024946.tif 000011
【図１０】
2020024946.tif 000012
【図１１】
2020024946.tif 000013
【図１２】
2020024946.tif 000014
【図１３】
2020024946.tif 000015
【図１４】
2020024946.tif 000016
【図１５】
2020024946.tif 000017
【図１６】
2020024946.tif 000018
【図１７】
2020024946.tif 000019
【図１８】
2020024946.tif 000020
【図１９】
2020024946.tif 000021
【図２０】
2020024946.tif 000022
【図２１】
2020024946.tif 000023
【図２２】
2020024946.tif 000024
【図２３】
2020024946.tif 000025
【図２４】
2020024946.tif 000026
【図２５】
2020024946.tif 000027